(57)【要約】【課題】イベントへの参加の柔軟な受付を行いつつ、行き先表示を行う行き先表示システムを提供する。【解決手段】サーバはユーザ端末装置から行き先設定が依頼されるとユーザ認証を行い（Ｓ５０）、行き先登録画面を返し（Ｓ５１）、入力情報を受信し（Ｓ５２）、入力された会場で、入力時間帯に行われるイベントを抽出し（Ｓ５３）、抽出イベントの定員有無回答を返す（Ｓ５４）。定員有無回答は抽出イベントに定員があれば定員ありを示し、なければ定員なしを示す。ユーザ端末装置は定員なしならすぐに予約情報を返し、定員ありならまず登録状況問合せを返す。サーバは登録状況問合せに対して定員オーバーかを返す（Ｓ５８）。ユーザ端末装置は、オーバーなら定員外参加者とで予約する「予約情報」を、オーバーでなければ、定員内参加者で予約する予約情報を返す。サーバは予約情報に応じて、イベントの予約、行き先の登録をする（Ｓ５７）。【選択図】図１９
2010009310.tif 000002
【特許請求の範囲】
【請求項１】
ユーザが操作するユーザ端末装置と、情報を表示する第一表示手段を備えた行き先表示端末装置と、ユーザの行き先を管理する行き先管理サーバとがネットワークを介して接続した行き先表示システムであって、
ユーザを識別するユーザＩＤを少なくとも記憶したＩＣタグであるユーザＩＣタグを備え、ユーザに所持されるユーザ識別部材と、
イベントが実施される場所である実施場所又は実施場所への入り口に設置される会場端末装置とが備えられ、
前記ユーザ端末装置は、
ＩＣタグとＲＦＩＤ通信を行うユーザ用ＩＣタグ通信装置と、
前記ユーザ用ＩＣタグ通信装置により前記ユーザＩＣタグから前記ユーザＩＤを取得するユーザＩＤ取得手段と、
前記ユーザＩＤ取得手段により取得された前記ユーザＩＤである取得ユーザＩＤ識別されるユーザの行き先、及び、当該ユーザが前記行き先に滞在する日時である滞在日時の入力を受け付ける行き先情報入力受付手段とを備え、
さらに、当該行き先表示システムは、
前記実施場所を示す場所ＩＤ、イベントが実施される日時である実施日時、前記イベントの参加者の定員数、当該イベントの定員内の参加者の前記ユーザＩＤである定員内ＩＤ、及び、当該イベントの定員外の参加者の前記ユーザＩＤである定員外ＩＤを少なくとも含むイベント情報を記憶するイベント情報記憶手段を備え、
前記行き先管理サーバは、
前記イベント情報記憶手段に記憶されている前記イベント情報の前記場所ＩＤが示す前記実施場所を前記定員内ＩＤ又は前記定員外ＩＤの示すユーザの行き先として、前記第一表示手段に表示させるための表示情報を前記行き先表示端末装置へ送信する表示情報送信手段を備え、
前記行き先表示端末装置は、
前記表示情報送信手段により送信された表示情報に基づいて、前記第一表示手段にユーザの行き先を表示させる行き先表示制御手段を備え、
さらに、当該行き先表示システムは、
前記行き先情報入力受付手段により受け付けられた前記行き先において前記滞在日時に実施されるイベントの定員内の参加者数が、当該イベントの定員数未満であるか否かを、前記イベント情報に基づいて判断する定員判断手段を備え、
さらに、前記行き先管理サーバは、
前記定員判断手段により定員数未満であると判断された場合には、前記取得ユーザＩＤを前記定員内ＩＤとし、定員数未満であると判断されなかった場合には、前記取得ユーザＩＤを前記定員外ＩＤとして前記イベント情報記憶手段に記憶する登録手段とを備え、
前記会場端末装置は、
ＩＣタグとＲＦＩＤ通信を行う会場用ＩＣタグ通信装置と、
前記会場用ＩＣタグ通信装置により前記ユーザＩＣタグに記憶されている情報を取得し、当該ユーザ識別部材を所持するユーザが、当該会場端末装置が設置されている場所で現在又は直後に実施されるイベントの定員内の参加者である定員内参加者、前記定員外参加者である定員外参加者、並びに、前記定員内参加者及び前記定員外参加者でない不参加者のいずれであるかを判断する参加判断手段と、
前記参加判断手段による判断結果に基づいた情報を出力する判断結果出力手段とを備えたことを特徴とする行き先表示システム。
【請求項２】
前記会場用ＩＣタグ通信装置は、印刷を行う印刷手段を備え、
前記判断結果出力手段は、前記判断結果に基づいた情報を前記印刷手段により印刷することを特徴とする請求項１に記載の行き先表示システム。
【請求項３】
前記会場端末装置は、前記実施場所の入り口に備えられた前記施錠装置を接続し、
当該会場端末装置の前記判断結果出力手段は、前記判断結果が前記定員内参加者又は前記定員外参加者である場合に前記施錠装置に開錠を指示する開錠指示情報を出力することを特徴とする請求項１又は２に記載の行き先表示システム。
【請求項４】
前記会場端末装置は、情報を表示する第二表示手段を備え、
当該会場端末装置の前記判断結果出力手段は、前記判断結果に基づいた情報を前記第二表示手段に表示させることを特徴とする請求項１乃至３のいずれかに記載の行き先表示システム。
【請求項５】
前記イベント情報記憶手段は前記定員外ＩＤを記憶した順序を識別可能な構成であり、
前記行き先管理サーバは、
前記イベント情報記憶手段に記憶されている前記イベント情報の示す前記イベントへの参加のキャンセルの指示、及び、キャンセルするユーザのユーザＩＤであるキャンセルユーザＩＤを受け付けるキャンセル受付手段と、
前記キャンセル受付手段により受け付けられた前記キャンセルユーザＩＤを前記定員内ＩＤ又は前記定員外ＩＤから削除するキャンセル手段と、
前記キャンセルユーザＩＤが前記定員内ＩＤであった場合には、前記定員外ＩＤのうち最初に記憶されたユーザＩＤを前記定員外ＩＤから削除し、前記定員内ＩＤとして前記イベント情報記憶手段に記憶する繰り上げ手段とを備えたことを特徴とする請求項１乃至４のいずれかに記載の行き先表示システム。
【請求項６】
前記会場端末装置は前記ネットワークに接続し、
当該会場端末装置の前記参加判断手段は、前記ユーザＩＣタグから前記ユーザＩＤを取得し、さらに、当該会場端末装置が設置されている場所で現在又は直後に実施されるイベントの前記イベント情報を前記行き先管理サーバから取得して、取得されたユーザＩＤが、当該会場端末装置が設置されている場所で現在又は直後に実施されるイベントの定員内ＩＤ、定員外ＩＤ、並びに、定員内ＩＤ及び定員外ＩＤでないＩＤのいずれかを判断することにより、当該ユーザＩＣタグを備えたユーザ識別部材を所持するユーザが、前記定員内参加者、前記定員外参加者及び前記不参加者のうちのいずれかを判断することを特徴とする請求項１乃至５のいずれかに記載の行き先表示システム。
【請求項７】
前記ユーザ端末装置は、
前記登録手段により前記イベント情報記憶手段に前記ユーザＩＤが記憶される際に、当該ユーザＩＤが記憶される前記イベント情報の示すイベントを特定するイベント特定情報、及び、前記定員内参加者又は前記定員外参加者のいずれであるかを示す参加者情報を、前記ユーザ用ＩＣタグ通信装置により前記ユーザＩＣタグに書き込む書込手段を備え、
前記会場端末装置の前記参加判断手段は、前記ユーザＩＣタグから前記イベント特定情報及び前記参加者情報を取得して、当該会場端末装置が設置されている場所で現在又は直後に実施されるイベントの前記定員内参加者、前記定員外参加者及び前記不参加者のうちのいずれかを判断することを特徴とする請求項１乃至５のいずれかに記載の行き先表示システム。
【請求項８】
ユーザを識別するユーザＩＤを少なくとも記憶したＩＣタグであるユーザＩＣタグを備えたユーザ識別部材をユーザが所持し、ＩＣタグとＲＦＩＤ通信を行う会場用ＩＣタグ通信装置を備えた会場端末装置がイベントの実施される場所である実施場所又は実施場所への入り口に設置され、ＩＣタグとＲＦＩＤ通信を行うユーザ用ＩＣタグ通信装置を備えてネットワークに接続したユーザ端末装置と、ユーザの行き先を表示する行き先表示端末装置とがネットワークを介して接続した行き先表示システムで使用され、前記ネットワークに接続した前記行き先管理サーバであって、
前記ユーザ端末装置において前記ユーザＩＣタグから取得されたユーザＩＤである取得ユーザＩＤ、当該取得ユーザＩＤで識別されるユーザの行き先、及び、当該ユーザが前記行き先に滞在する日時である滞在日時を前記ユーザ端末装置から取得する行き先情報取得手段と、
イベントが実施される場所である実施場所を示す場所ＩＤ、イベントが実施される日時である実施日時、前記イベントの参加者の定員数、当該イベントの定員内の参加者のユーザＩＤである定員内ＩＤ、及び、当該イベントの定員外の参加者のユーザＩＤである定員外ＩＤを少なくとも含むイベント情報を記憶するイベント情報記憶手段に基づいて、前記行き先情報取得手段により取得された前記行き先において前記滞在日時に実施されるイベントの定員内の参加者数が当該イベントの定員数未満であるか否かを判断する定員判断手段と、
前記定員判断手段により定員数未満であると判断された場合には、前記取得ユーザＩＤを前記定員内ＩＤとし、定員数未満であると判断されなかった場合には、前記取得ユーザＩＤを前記定員外ＩＤとして前記イベント情報記憶手段に記憶させる登録手段と、
前記イベント情報記憶手段に記憶されている前記イベント情報の前記場所ＩＤが示す前記実施場所を前記定員内ＩＤ又は前記定員外ＩＤの示すユーザの行き先として、前記第一表示手段に表示させるための表示情報を前記行き先表示端末装置へ送信する表示情報送信手段とを備えたことを特徴とする行き先管理サーバ。
【請求項９】
前記イベント情報記憶手段は前記定員外ＩＤを記憶した順序を識別可能な構成であり、
前記イベント情報記憶手段に記憶されている前記イベント情報の示す前記イベントへの参加のキャンセルの指示、及び、キャンセルするユーザのユーザＩＤであるキャンセルユーザＩＤを受け付けるキャンセル受付手段と、
前記キャンセル受付手段により受け付けられた前記キャンセルユーザＩＤを前記定員内ＩＤ又は前記定員外ＩＤから削除するキャンセル手段と、
前記キャンセルユーザＩＤが前記定員内ＩＤであった場合には、前記定員外ＩＤのうち最初に記憶されたユーザＩＤを前記定員外ＩＤから削除し、前記定員内ＩＤとして前記イベント情報記憶手段に記憶する繰り上げ手段とを備えたことを特徴とする請求項８に記載の行き先管理サーバ。
【請求項１０】
請求項８又は９に記載の行き先管理サーバの各種処理手段としてコンピュータを機能させる行き先管理プログラム。
【請求項１１】
ユーザを識別するユーザＩＤを少なくとも記憶したＩＣタグであるユーザＩＣタグを備えたユーザ識別部材をユーザが所持し、イベントの実施場所を示す場所ＩＤ、イベントが実施される日時である実施日時、前記イベントの参加者の定員数、当該イベントの定員内の参加者の前記ユーザＩＤである定員内ＩＤ、及び、当該イベントの定員外の参加者の前記ユーザＩＤである定員外ＩＤを少なくとも含むイベント情報を記憶するイベント情報記憶手段が備えられ、ユーザの行き先を管理する行き先管理サーバと、ＩＣタグとＲＦＩＤ通信を行うユーザ用ＩＣタグ通信装置を備えたユーザ端末装置と、ユーザの行き先を表示する行き先表示端末装置とがネットワークを介して接続した行き先表示システムで使用され、イベントが実施される場所である実施場所又は前記実施場所への入り口に設置される会場端末装置であって、
前記ネットワークに接続し、
ＩＣタグとＲＦＩＤ通信を行う会場用ＩＣタグ通信装置と、
前記ユーザＩＣタグから前記ユーザＩＤを取得し、さらに当該会場端末装置が設置されている場所で現在又は直後に実施されるイベントの前記イベント情報を前記行き先管理サーバから取得して、取得されたユーザＩＤが、当該会場端末装置が設置されている場所で現在又は直後に実施されるイベントの定員内ＩＤ、定員外ＩＤ、並びに、定員内ＩＤ及び定員外ＩＤでないＩＤのいずれかを判断することにより、当該ユーザＩＣタグを備えたユーザ識別部材を所持するユーザが、前記定員内参加者、前記定員外参加者及び前記不参加者のうちのいずれかを判断する第一参加判断手段と、
前記参加判断手段による判断結果に基づいた情報を出力する判断結果出力手段とを備えたことを特徴とする会場端末装置。
【請求項１２】
ユーザを識別するユーザＩＤ、イベントを特定するイベント特定情報、及び、前記定員内参加者又は定員外の参加者のいずれであるかを示す参加者情報を記憶したＩＣタグであるユーザＩＣタグを備えたユーザ識別部材をユーザが所持し、イベントの実施場所を示す場所ＩＤ、イベントが実施される日時である実施日時、前記イベントの参加者の定員数、当該イベントの定員内の参加者の前記ユーザＩＤである定員内ＩＤ、及び、当該イベントの定員外の参加者の前記ユーザＩＤである定員外ＩＤを少なくとも含むイベント情報を記憶するイベント情報記憶手段が備えられ、ユーザの行き先を管理する行き先管理サーバと、ＩＣタグとＲＦＩＤ通信を行うユーザ用ＩＣタグ通信装置を備えたユーザ端末装置と、ユーザの行き先を表示する行き先表示端末装置とがネットワークを介して接続した行き先表示システムで使用され、イベントが実施される場所である実施場所又は前記実施場所への入り口に設置される会場端末装置であって、
ＩＣタグとＲＦＩＤ通信を行う会場用ＩＣタグ通信装置と、
前記特定情報及び前記参加者情報を前記ユーザＩＣタグから取得し、当該会場端末装置が設置されている場所で現在又は直後に実施されるイベントの前記定員内参加者、前記定員外参加者、及び、前記不参加者のいずれであるかを判断する第二参加判断手段と、
前記参加判断手段による判断結果に基づいた情報を出力する判断結果出力手段とを備えたことを特徴とする会場端末装置。
【請求項１３】
前記会場用ＩＣタグ通信装置は、印刷を行う印刷手段を備え、
前記判断結果出力手段は、前記判断結果に基づいた情報を前記印刷手段により印刷することを特徴とする請求項１１又は１２に記載の会場端末装置。
【請求項１４】
前記実施場所への入り口に備えられた前記施錠装置を接続し、
前記判断結果出力手段は、前記参加判断手段による判断結果が前記定員内参加者又は前記定員外の参加者である場合に前記施錠装置に開錠を指示する情報を出力することを特徴とする請求項１１乃至１３のいずれかに記載の会場端末装置。
【請求項１５】
情報を表示する表示手段を備え、
前記判断結果出力手段は、前記判断結果に基づいた情報を前記表示手段に表示することを特徴とする請求項１１乃至１４のいずれかに記載の会場端末装置。
【請求項１６】
請求項１１乃至１５のいずれかに記載の会場端末装置の各種処理手段としてコンピュータを機能させる会場端末装置プログラム。
【発明の詳細な説明】
【技術分野】
【０００１】
本発明は、行き先表示システム、行き先管理サーバ、行き先管理プログラム、会場端末装置及び会場端末装置プログラムに関するものであり、詳細には、イベントへの参加者の行き先表示を行う行き先表示システム、行き先管理サーバ、行き先管理プログラム、会場端末装置及び会場端末装置プログラムに関するものである。
【背景技術】
【０００２】
従来、オフィスにおいて、オフィスの構成員が外出する際には、在籍者にその外出先を知らせておく必要がある。そこで、ホワイトボードに外出する者の氏名と外出先を記入しておいたり、自席に外出先を示した札を置いておいたりする。また、近年では、オフィスにパーソナルコンピュータ（ＰＣ）等の端末が普及しており、オフィス内の端末がネットワークで互いに接続している。このような、ネットワーク環境では、外出者が個人を識別する個人ＩＤと、行き先の情報とを端末で入力し、行き先表示端末装置に入力された情報が表示される行き先表示方法が提案されている（例えば、特許文献１）。
【０００３】
また、従来、イベントへの参加や会議室の使用に対して、予約を受け付けるシステムも種々提案されている。例えば、スケジュールへの参加を登録した際に、このスケジュールの定員数と既登録数とを比較して、定員が満たされている場合には、予約処理を行わない電子スケジュール予約受付システムも提案されている（例えば、特許文献２）。
【特許文献１】特開平３−３４７５４号公報
【特許文献２】特開平１１−２１９３９０号公報
【発明の開示】
【発明が解決しようとする課題】
【０００４】
しかしながら、行き先表示のシステムと、予約システムとは別々のシステムである。そこで、ある者があるイベントへ参加すると決めて、現場へ出掛けても参加者多数によりイベントに参加できなかったり、参加はできたが配布資料がもらえなかったりということが発生することがあるという問題点があった。また、ある者が予約システムにおける予約の場所へ出掛ける場合であっても、行き先表示システムへは改めて行き先を入力する必要があるという問題点があった。これにより、行き先表示システムへの入力が誤っていれば、正しい行き先が、正しい時間に表示されないという問題点も生じる。また、特許文献２に記載の電子スケジュール予約受付システムでは、予約受付時に定員が満たされている場合には、予約が受け付けられず、その後、キャンセルがなされても予約を受け付けてもらえなかった者は知ることができず、そのスケジュールに参加できないという問題点があった。また、スケジュールによっては、会場の座席数の制約から定員は設定されているものの、座席なし（立ち見）であれば聴講のみは可能というイベントもある。特許文献２に記載の電子スケジュール予約受付システムのように、画一的に定員で予約の受付の可否を判断するのでは、このようなイベントに対応できないという問題点もある。
【０００５】
本発明は、上述の問題点を解決するためになされたものであり、イベントへの参加の柔軟な受付を行いつつ、イベントへの参加者の行き先表示を行う行き先表示システム、行き先管理サーバ、行き先管理プログラム、会場端末装置及び会場端末装置プログラムを提供することを目的とする。
【課題を解決するための手段】
【０００６】
上記課題を解決するため、請求項１に係る発明の行き先表示システムでは、ユーザが操作するユーザ端末装置と、情報を表示する第一表示手段を備えた行き先表示端末装置と、ユーザの行き先を管理する行き先管理サーバとがネットワークを介して接続した行き先表示システムであって、ユーザを識別するユーザＩＤを少なくとも記憶したＩＣタグであるユーザＩＣタグを備え、ユーザに所持されるユーザ識別部材と、イベントが実施される場所である実施場所又は実施場所への入り口に設置される会場端末装置とが備えられ、前記ユーザ端末装置は、ＩＣタグとＲＦＩＤ通信を行うユーザ用ＩＣタグ通信装置と、前記ユーザ用ＩＣタグ通信装置により前記ユーザＩＣタグから前記ユーザＩＤを取得するユーザＩＤ取得手段と、前記ユーザＩＤ取得手段により取得された前記ユーザＩＤである取得ユーザＩＤ識別されるユーザの行き先、及び、当該ユーザが前記行き先に滞在する日時である滞在日時の入力を受け付ける行き先情報入力受付手段とを備え、さらに、当該行き先表示システムは、前記実施場所を示す場所ＩＤ、イベントが実施される日時である実施日時、前記イベントの参加者の定員数、当該イベントの定員内の参加者の前記ユーザＩＤである定員内ＩＤ、及び、当該イベントの定員外の参加者の前記ユーザＩＤである定員外ＩＤを少なくとも含むイベント情報を記憶するイベント情報記憶手段を備え、前記行き先管理サーバは、前記イベント情報記憶手段に記憶されている前記イベント情報の前記場所ＩＤが示す前記実施場所を前記定員内ＩＤ又は前記定員外ＩＤの示すユーザの行き先として、前記第一表示手段に表示させるための表示情報を前記行き先表示端末装置へ送信する表示情報送信手段を備え、前記行き先表示端末装置は、前記表示情報送信手段により送信された表示情報に基づいて、前記第一表示手段にユーザの行き先を表示させる行き先表示制御手段を備え、さらに、当該行き先表示システムは、前記行き先情報入力受付手段により受け付けられた前記行き先において前記滞在日時に実施されるイベントの定員内の参加者数が、当該イベントの定員数未満であるか否かを、前記イベント情報に基づいて判断する定員判断手段を備え、さらに、前記行き先管理サーバは、前記定員判断手段により定員数未満であると判断された場合には、前記取得ユーザＩＤを前記定員内ＩＤとし、定員数未満であると判断されなかった場合には、前記取得ユーザＩＤを前記定員外ＩＤとして前記イベント情報記憶手段に記憶する登録手段とを備え、前記会場端末装置は、ＩＣタグとＲＦＩＤ通信を行う会場用ＩＣタグ通信装置と、前記会場用ＩＣタグ通信装置により前記ユーザＩＣタグに記憶されている情報を取得し、当該ユーザ識別部材を所持するユーザが、当該会場端末装置が設置されている場所で現在又は直後に実施されるイベントの定員内の参加者である定員内参加者、前記定員外参加者である定員外参加者、並びに、前記定員内参加者及び前記定員外参加者でない不参加者のいずれであるかを判断する参加判断手段と、前記参加判断手段による判断結果に基づいた情報を出力する判断結果出力手段とを備えている。
【０００７】
また、請求項２に係る発明の行き先表示システムでは、請求項１に記載の発明の構成に加えて、前記会場用ＩＣタグ通信装置は、印刷を行う印刷手段を備え、前記判断結果出力手段は、前記判断結果に基づいた情報を前記印刷手段により印刷することを特徴とする。
【０００８】
また、請求項３に係る発明の行き先表示システムでは、請求項１又は２に記載の発明の構成に加えて、前記会場端末装置は、前記実施場所の入り口に備えられた前記施錠装置を接続し、当該会場端末装置の前記判断結果出力手段は、前記判断結果が前記定員内参加者又は前記定員外参加者である場合に前記施錠装置に開錠を指示する開錠指示情報を出力することを特徴とする。
【０００９】
また、請求項４に係る発明の行き先表示システムでは、請求項１乃至３のいずれかに記載の発明の構成に加えて、前記会場端末装置は、情報を表示する第二表示手段を備え、当該会場端末装置の前記判断結果出力手段は、前記判断結果に基づいた情報を前記第二表示手段に表示させることを特徴とする。
【００１０】
また、請求項５に係る発明の行き先表示システムでは、請求項１乃至４のいずれかに記載の発明の構成に加えて、前記イベント情報記憶手段は前記定員外ＩＤを記憶した順序を識別可能な構成であり、前記行き先管理サーバは、前記イベント情報記憶手段に記憶されている前記イベント情報の示す前記イベントへの参加のキャンセルの指示、及び、キャンセルするユーザのユーザＩＤであるキャンセルユーザＩＤを受け付けるキャンセル受付手段と、前記キャンセル受付手段により受け付けられた前記キャンセルユーザＩＤを前記定員内ＩＤ又は前記定員外ＩＤから削除するキャンセル手段と、前記キャンセルユーザＩＤが前記定員内ＩＤであった場合には、前記定員外ＩＤのうち最初に記憶されたユーザＩＤを前記定員外ＩＤから削除し、前記定員内ＩＤとして前記イベント情報記憶手段に記憶する繰り上げ手段とを備えている。
【００１１】
また、請求項６に係る発明の行き先表示システムでは、請求項１乃至５のいずれかに記載の発明の構成に加えて、前記会場端末装置は前記ネットワークに接続し、当該会場端末装置の前記参加判断手段は、前記ユーザＩＣタグから前記ユーザＩＤを取得し、さらに、当該会場端末装置が設置されている場所で現在又は直後に実施されるイベントの前記イベント情報を前記行き先管理サーバから取得して、取得されたユーザＩＤが、当該会場端末装置が設置されている場所で現在又は直後に実施されるイベントの定員内ＩＤ、定員外ＩＤ、並びに、定員内ＩＤ及び定員外ＩＤでないＩＤのいずれかを判断することにより、当該ユーザＩＣタグを備えたユーザ識別部材を所持するユーザが、前記定員内参加者、前記定員外参加者及び前記不参加者のうちのいずれかを判断することを特徴とする。
【００１２】
また、請求項７に係る発明の行き先表示システムでは、請求項１乃至５のいずれかに記載の発明の構成に加えて、前記ユーザ端末装置は、前記登録手段により前記イベント情報記憶手段に前記ユーザＩＤが記憶される際に、当該ユーザＩＤが記憶される前記イベント情報の示すイベントを特定するイベント特定情報、及び、前記定員内参加者又は前記定員外参加者のいずれであるかを示す参加者情報を、前記ユーザ用ＩＣタグ通信装置により前記ユーザＩＣタグに書き込む書込手段を備え、前記会場端末装置の前記参加判断手段は、前記ユーザＩＣタグから前記イベント特定情報及び前記参加者情報を取得して、当該会場端末装置が設置されている場所で現在又は直後に実施されるイベントの前記定員内参加者、前記定員外参加者及び前記不参加者のうちのいずれかを判断することを特徴とする。
【００１３】
また、請求項８に係る発明の行き先管理サーバでは、ユーザを識別するユーザＩＤを少なくとも記憶したＩＣタグであるユーザＩＣタグを備えたユーザ識別部材をユーザが所持し、ＩＣタグとＲＦＩＤ通信を行う会場用ＩＣタグ通信装置を備えた会場端末装置がイベントの実施される場所である実施場所又は実施場所への入り口に設置され、ＩＣタグとＲＦＩＤ通信を行うユーザ用ＩＣタグ通信装置を備えてネットワークに接続したユーザ端末装置と、ユーザの行き先を表示する行き先表示端末装置とがネットワークを介して接続した行き先表示システムで使用され、前記ネットワークに接続した前記行き先管理サーバであって、前記ユーザ端末装置において前記ユーザＩＣタグから取得されたユーザＩＤである取得ユーザＩＤ、当該取得ユーザＩＤで識別されるユーザの行き先、及び、当該ユーザが前記行き先に滞在する日時である滞在日時を前記ユーザ端末装置から取得する行き先情報取得手段と、イベントが実施される場所である実施場所を示す場所ＩＤ、イベントが実施される日時である実施日時、前記イベントの参加者の定員数、当該イベントの定員内の参加者のユーザＩＤである定員内ＩＤ、及び、当該イベントの定員外の参加者のユーザＩＤである定員外ＩＤを少なくとも含むイベント情報を記憶するイベント情報記憶手段に基づいて、前記行き先情報取得手段により取得された前記行き先において前記滞在日時に実施されるイベントの定員内の参加者数が当該イベントの定員数未満であるか否かを判断する定員判断手段と、前記定員判断手段により定員数未満であると判断された場合には、前記取得ユーザＩＤを前記定員内ＩＤとし、定員数未満であると判断されなかった場合には、前記取得ユーザＩＤを前記定員外ＩＤとして前記イベント情報記憶手段に記憶させる登録手段と、前記イベント情報記憶手段に記憶されている前記イベント情報の前記場所ＩＤが示す前記実施場所を前記定員内ＩＤ又は前記定員外ＩＤの示すユーザの行き先として、前記第一表示手段に表示させるための表示情報を前記行き先表示端末装置へ送信する表示情報送信手段とを備えている。
【００１４】
また、請求項９に係る発明の行き先管理サーバでは、請求項８に記載の発明の構成に加えて、前記イベント情報記憶手段は前記定員外ＩＤを記憶した順序を識別可能な構成であり、前記イベント情報記憶手段に記憶されている前記イベント情報の示す前記イベントへの参加のキャンセルの指示、及び、キャンセルするユーザのユーザＩＤであるキャンセルユーザＩＤを受け付けるキャンセル受付手段と、前記キャンセル受付手段により受け付けられた前記キャンセルユーザＩＤを前記定員内ＩＤ又は前記定員外ＩＤから削除するキャンセル手段と、前記キャンセルユーザＩＤが前記定員内ＩＤであった場合には、前記定員外ＩＤのうち最初に記憶されたユーザＩＤを前記定員外ＩＤから削除し、前記定員内ＩＤとして前記イベント情報記憶手段に記憶する繰り上げ手段とを備えている。
【００１５】
また、請求項１０に係る発明の行き先管理プログラムでは、請求項８又は９に記載の行き先管理サーバの各種処理手段としてコンピュータを機能させる。
【００１６】
また、請求項１１に係る発明の会場端末装置では、ユーザを識別するユーザＩＤを少なくとも記憶したＩＣタグであるユーザＩＣタグを備えたユーザ識別部材をユーザが所持し、イベントの実施場所を示す場所ＩＤ、イベントが実施される日時である実施日時、前記イベントの参加者の定員数、当該イベントの定員内の参加者の前記ユーザＩＤである定員内ＩＤ、及び、当該イベントの定員外の参加者の前記ユーザＩＤである定員外ＩＤを少なくとも含むイベント情報を記憶するイベント情報記憶手段が備えられ、ユーザの行き先を管理する行き先管理サーバと、ＩＣタグとＲＦＩＤ通信を行うユーザ用ＩＣタグ通信装置を備えたユーザ端末装置と、ユーザの行き先を表示する行き先表示端末装置とがネットワークを介して接続した行き先表示システムで使用され、イベントが実施される場所である実施場所又は前記実施場所への入り口に設置される会場端末装置であって、前記ネットワークに接続し、ＩＣタグとＲＦＩＤ通信を行う会場用ＩＣタグ通信装置と、前記ユーザＩＣタグから前記ユーザＩＤを取得し、さらに当該会場端末装置が設置されている場所で現在又は直後に実施されるイベントの前記イベント情報を前記行き先管理サーバから取得して、取得されたユーザＩＤが、当該会場端末装置が設置されている場所で現在又は直後に実施されるイベントの定員内ＩＤ、定員外ＩＤ、並びに、定員内ＩＤ及び定員外ＩＤでないＩＤのいずれかを判断することにより、当該ユーザＩＣタグを備えたユーザ識別部材を所持するユーザが、前記定員内参加者、前記定員外参加者及び前記不参加者のうちのいずれかを判断する第一参加判断手段と、前記参加判断手段による判断結果に基づいた情報を出力する判断結果出力手段とを備えている。
【００１７】
また、請求項１２に係る発明の会場端末装置では、ユーザを識別するユーザＩＤ、イベントを特定するイベント特定情報、及び、前記定員内参加者又は定員外の参加者のいずれであるかを示す参加者情報を記憶したＩＣタグであるユーザＩＣタグを備えたユーザ識別部材をユーザが所持し、イベントの実施場所を示す場所ＩＤ、イベントが実施される日時である実施日時、前記イベントの参加者の定員数、当該イベントの定員内の参加者の前記ユーザＩＤである定員内ＩＤ、及び、当該イベントの定員外の参加者の前記ユーザＩＤである定員外ＩＤを少なくとも含むイベント情報を記憶するイベント情報記憶手段が備えられ、ユーザの行き先を管理する行き先管理サーバと、ＩＣタグとＲＦＩＤ通信を行うユーザ用ＩＣタグ通信装置を備えたユーザ端末装置と、ユーザの行き先を表示する行き先表示端末装置とがネットワークを介して接続した行き先表示システムで使用され、イベントが実施される場所である実施場所又は前記実施場所への入り口に設置される会場端末装置であって、ＩＣタグとＲＦＩＤ通信を行う会場用ＩＣタグ通信装置と、前記特定情報及び前記参加者情報を前記ユーザＩＣタグから取得し、当該会場端末装置が設置されている場所で現在又は直後に実施されるイベントの前記定員内参加者、前記定員外参加者、及び、前記不参加者のいずれであるかを判断する第二参加判断手段と、前記参加判断手段による判断結果に基づいた情報を出力する判断結果出力手段とを備えている。
【００１８】
また、請求項１３に係る発明の会場端末装置では、請求項１１又は１２に記載の発明の構成に加えて、前記会場用ＩＣタグ通信装置は、印刷を行う印刷手段を備え、前記判断結果出力手段は、前記判断結果に基づいた情報を前記印刷手段により印刷することを特徴とする。
【００１９】
また、請求項１４に係る発明の会場端末装置では、請求項１１乃至１３のいずれかに記載の発明の構成に加えて、前記実施場所への入り口に備えられた前記施錠装置を接続し、前記判断結果出力手段は、前記参加判断手段による判断結果が前記定員内参加者又は前記定員外の参加者である場合に前記施錠装置に開錠を指示する情報を出力することを特徴とする。
【００２０】
また、請求項１５に係る発明の会場端末装置では、請求項１１乃至１４のいずれかに記載の発明の構成に加えて、情報を表示する表示手段を備え、前記判断結果出力手段は、前記判断結果に基づいた情報を前記表示手段に表示することを特徴とする。
【００２１】
また、請求項１６に係る発明の会場端末装置プログラムでは、請求項１１乃至１５のいずれかに記載の会場端末装置の各種処理手段としてコンピュータを機能させる。
【発明の効果】
【００２２】
請求項１に係る発明の行き先表示システムでは、ユーザを識別するユーザＩＤを少なくとも記憶したＩＣタグであるユーザＩＣタグを備え、ユーザに所持されるユーザ識別部材と、イベントが実施される場所である実施場所又は実施場所への入り口に設置される会場端末装置とが使用される。行き先管理サーバは、イベント情報の場所ＩＤが示す実施場所を定員内ＩＤ又は定員外ＩＤの示すユーザの行き先として、第一表示手段に表示させるための表示情報を行き先表示端末装置へ送信し、行き先表示端末装置では、送信された表示情報に基づいて、第一表示手段にユーザの行き先を表示させることができる。そして、ユーザ端末装置は、ＩＣタグとＲＦＩＤ通信を行うユーザ用ＩＣタグ通信装置によりユーザＩＣタグからユーザＩＤ（取得ユーザＩＤ）を取得し、取得ユーザＩＤ識別されるユーザの行き先、及び、ユーザが行き先に滞在する日時である滞在日時の入力を受け付けることができる。さらに、行き先表示システムは、行き先情報入力受付手段により受け付けられた行き先において滞在日時に実施されるイベントの定員内の参加者数が、イベントの定員数未満であるか否かを、イベント情報に基づいて判断し、行き先管理サーバは、定員判断手段により定員数未満であると判断された場合には、取得ユーザＩＤを定員内ＩＤとし、定員数未満であると判断されなかった場合には、取得ユーザＩＤを定員外ＩＤとしてイベント情報記憶手段に記憶することができる。したがって、ユーザがユーザ端末装置を用いて行き先と滞在日時を登録すると、その行き先で滞在日時に実施されるイベントへの参加が登録される。この際に、登録済みのイベントの参加者が定員未満であれば、「定員内参加者」としてイベント情報に記憶され、登録済みの参加者が定員未満でなければ、「定員外参加者」としてイベント情報に記憶される。つまり、登録済みの参加者数に応じて、「定員内参加者」と「定員外参加者」とに振り分けて登録することができる。よって、実際に現地に赴いてから、イベントに参加できないことが発覚するということがない。また、定員内参加者として参加できなくても、一部参加できるようなイベントであれば、それを認識して実施場所に赴くことができ、また、定員外であるために、イベントへの参加登録が拒否されることがないので、柔軟なイベントへの受付が行われる。また、行き先登録により、イベントへの参加受付が行われるので、ユーザはイベントの受付、行き先表示のための入力の両方を行う必要がなく、手間がない。さらに、２つの入力を行うことによる入力ミスを防ぐことができる。そして、会場端末装置は、ＩＣタグとＲＦＩＤ通信を行う会場用ＩＣタグ通信装置によりユーザＩＣタグに記憶されている情報を取得し、ユーザ識別部材を所持するユーザが、会場端末装置が設置されている場所で現在又は直後に実施されるイベントの定員内の参加者である定員内参加者、定員外参加者である定員外参加者、並びに、定員内参加者及び定員外参加者でない不参加者のいずれであるかを判断し、判断結果に基づいた情報を出力することができる。したがって、実際にイベントが行われる会場（実施場所）では、ユーザ識別部材のユーザＩＣタグを読み取ることにより、ユーザが「定員内参加者」であるか、「定員外参加者」であるか、「不参加者」であるかが出力されるので、それに応じた対処をすることができる。
【００２３】
また、請求項２に係る発明の行き先表示システムでは、請求項１に記載の発明の効果に加えて、会場用ＩＣタグ通信装置は、判断結果に基づいた情報を印刷手段により印刷することができる。したがって、「定員内参加者」であるか、「定員外参加者」であるか、「不参加者」であるかの判断結果に基づいた情報を印刷することができるので、イベント会場において様々な利用をすることができる。例えば、「定員内参加者」に対して、座席番号を印刷することができる。また、「定員内参加者」及び「定員外参加者」に資料引換券を印刷することができる。また、「定員内参加者」及び「定員外参加者」に名札を印刷できる。この際には、「定員内参加者」と「定員外参加者」とで異なるデザインの名札を印刷して区別することもできる。これらの例に限らず、イベント会場における様々な利用が可能である。
【００２４】
また、請求項３に係る発明の行き先表示システムでは、請求項１又は２に記載の発明の効果に加えて、会場端末装置は、実施場所の入り口に備えられた施錠装置を接続しており、判断結果が定員内参加者又は定員外参加者である場合に施錠装置に開錠を指示する開錠指示情報を出力することができる。したがって、「定員内参加者」、「定員外参加者」であれば、実施場所の入り口に備えられた施錠装置を開錠することができる。よって、会場端末装置を実施場所の入り口外に設置しておけば、イベント情報に登録されている「定員内参加者」、「定員外参加者」は、ユーザ識別部材のユーザＩＣタグを読み取られせることにより、参加者のみを実施場所に入場させることができる。
【００２５】
また、請求項４に係る発明の行き先表示システムでは、請求項１乃至３のいずれかに記載の発明の効果に加えて、会場端末装置は、判断結果に基づいた情報を第二表示手段に表示させることができる。したがって、会場端末装置において、「定員内参加者」であるか、「定員外参加者」であるか、「不参加者」であるかの判断結果に基づいた情報を表示することができるので、イベント会場において様々な利用をすることができる。例えば、イベント会場の係員が、表示された情報を見て、「定員内参加者」と「定員外参加者」とに応じた案内をすることができる。
【００２６】
また、請求項５に係る発明の行き先表示システムでは、請求項１乃至４のいずれかに記載の発明の効果に加えて、行き先管理サーバは、ユーザから参加のキャンセルの指示を受け付けると、キャンセルユーザＩＤを定員内ＩＤ又は定員外ＩＤから削除し、キャンセルユーザＩＤが定員内ＩＤであった場合には、定員外ＩＤのうち最初に記憶されたユーザＩＤを定員外ＩＤから削除し、定員内ＩＤとしてイベント情報記憶手段に記憶する繰り上げることができる。したがって、「定員内参加者」にキャンセルがあった場合に、「定員外参加者」がいれば、最初に「定員外参加者」として登録されたユーザを「定員内参加者」に繰り上げることができる。よって、「定員外参加者」であっても、定員に空きが出れば「定員内参加者」になることができる。つまり、「定員外参加者」という柔軟な受付が行われることにより、登録の時点では満員であっても、定員内参加者として参加できる可能性が保留される。よって、イベントに参加したいユーザは、登録時点で満員であった場合に、その後、キャンセルがあり空きができたかどうかの確認をする手間なく、キャンセルがあれば順に「定員内参加者」となることができる。
【００２７】
また、請求項６に係る発明の行き先表示システムでは、請求項１乃至５のいずれかに記載の発明の効果に加えて、イベントの実施場所に設置された会場端末装置はネットワークに接続しているので、行き先管理サーバから実施場所で現在又は直後に実施されるイベントのイベント情報を取得することができる。そして、ユーザが所持しているユーザ識別部材のユーザＩＣタグからユーザＩＤを取得することができる。そこで、取得したユーザＩＤをイベント情報の定員内ＩＤ，定員外ＩＤと比較することにより、簡単にユーザ識別部材を所持するユーザが「定員内参加者」であるか、「定員外参加者」であるか、いずれでもない「不参加者」であるかを判断することができる。
【００２８】
また、請求項７に係る発明の行き先表示システムでは、請求項１乃至５のいずれかに記載の発明の効果に加えて、ユーザ端末装置は、登録手段によりイベント情報記憶手段にユーザＩＤが記憶される際に、ユーザＩＤが記憶されるイベント情報の示すイベントを特定するイベント特定情報、及び、定員内参加者又は定員外参加者のいずれであるかを示す参加者情報を、ユーザ用ＩＣタグ通信装置によりユーザＩＣタグに書き込むことができる。そして、会場端末装置の参加判断手段は、ユーザＩＣタグからイベント特定情報及び参加者情報を取得して、会場端末装置が設置されている場所で現在又は直後に実施されるイベントの定員内参加者、定員外参加者及び不参加者のうちのいずれかを判断することができる。したがって、会場端末装置がネットワークに接続していなくても、ユーザ識別部材を所持するユーザが「定員内参加者」であるか、「定員外参加者」であるか、いずれでもない「不参加者」であるかを簡単に判断することができる。よって、ネットワーク環境の整っていない実施場所であっても、ユーザの参加状態の判断を行うことができ、容易に本行き先表示システムをイベントの実施に導入することができる。
【００２９】
また、請求項８に係る発明の行き先管理サーバでは、ユーザ端末装置においてユーザＩＣタグから取得されたユーザＩＤである取得ユーザＩＤ、取得ユーザＩＤで識別されるユーザの行き先、及び、ユーザが行き先に滞在する日時である滞在日時を、ユーザ端末装置から取得し、行き先情報取得手段により取得された行き先において滞在日時に実施されるイベントの定員内の参加者数がイベントの定員数未満であるか否かをイベント情報に基づいて判断することができる。そして、定員数未満であると判断された場合には、取得ユーザＩＤを定員内ＩＤとし、定員数未満であると判断されなかった場合には、取得ユーザＩＤを定員外ＩＤとしてイベント情報記憶手段に記憶させることができる。したがって、ユーザ端末装置から、ユーザＩＤ，行き先，滞在日時を受信すると、ユーザＩＤのユーザが、その行き先で滞在日時に実施されるイベントへ参加するとして登録される。この際に、登録済みのイベントの参加者が定員未満であれば、「定員内参加者」としてイベント情報に記憶され、登録済みの参加者が定員未満でなければ、「定員外参加者」としてイベント情報に記憶される。つまり、登録済みの参加者数に応じて、「定員内参加者」と「定員外参加者」とに振り分けて登録される。そこで、ユーザは自身がイベントに「定員内参加者」として参加できるのか、「定員外参加者」として参加できるのかを知ることができる。よって、実際に現地に赴いてから、イベントに参加できないことが発覚するということがない。また、定員内参加者として参加できなくても、一部参加できるようなイベントであれば、それを認識して実施場所に赴くことができ、また、定員外であるために、イベントへの参加登録が拒否されることがないので、柔軟なイベントへの受付が行われる。また、行き先登録により、イベントへの参加受付が行われるので、ユーザはイベントの受付、行き先表示のための入力の両方を行う必要がなく、手間がない。さらに、２つの入力を行うことによる入力ミスを防ぐことができる。さらに、行き先管理サーバでは、イベント情報記憶手段に記憶されているイベント情報の場所ＩＤが示す実施場所を定員内ＩＤ又は定員外ＩＤの示すユーザの行き先として、第一表示手段に表示させるための表示情報を行き先表示端末装置へ送信することができる。よって、行き先表示端末装置で受信した表示情報を表示させれば、ユーザはイベント情報の登録状況を確認でき、他のユーザはユーザの行き先を知ることができる。
【００３０】
また、請求項９に係る発明の行き先管理サーバでは、請求項８に記載の発明の効果に加えて、ユーザから参加のキャンセルの指示を受け付けると、キャンセルユーザＩＤを定員内ＩＤ又は定員外ＩＤから削除し、キャンセルユーザＩＤが定員内ＩＤであった場合には、定員外ＩＤのうち最初に記憶されたユーザＩＤを定員外ＩＤから削除し、定員内ＩＤとしてイベント情報記憶手段に記憶する繰り上げることができる。したがって、「定員内参加者」にキャンセルがあった場合に、「定員外参加者」がいれば、最初に「定員外参加者」として登録されたユーザを「定員内参加者」に繰り上げることができる。よって、「定員外参加者」であっても、定員に空きが出れば「定員内参加者」になることができる。つまり、「定員外参加者」という柔軟な受付が行われることにより、登録の時点では満員であっても、定員内参加者として参加できる可能性が保留される。よって、イベントに参加したいユーザは、登録時点で満員であった場合に、その後、キャンセルがあり空きができたかどうかの確認をする手間なく、キャンセルがあれば順に「定員内参加者」となることができる。
【００３１】
また、請求項１０に係る発明の行き先管理プログラムをコンピュータに実行させることにより、請求項８又は９に記載の行き先管理サーバの各種処理手段としてコンピュータを機能させることができる。よって、請求項８又は９に記載の行き先管理サーバと同様の効果を奏することができる。
【００３２】
また、請求項１１に係る発明の会場端末装置では、イベントの実施場所に設置された会場端末装置はネットワークに接続しているので、行き先管理サーバから実施場所で現在又は直後に実施されるイベントのイベント情報を取得することができる。そして、ユーザが所持しているユーザ識別部材のユーザＩＣタグからユーザＩＤを取得することができる。そこで、取得したユーザＩＤをイベント情報の定員内ＩＤ，定員外ＩＤと比較することにより、簡単にユーザ識別部材を所持するユーザが「定員内参加者」であるか、「定員外参加者」であるか、いずれでもない「不参加者」であるかを判断することができる。よって、ユーザが「定員内参加者」であるか、「定員外参加者」であるか、「不参加者」であるかに応じた対処をすることができる。
【００３３】
また、請求項１２に係る発明の会場端末装置では、ユーザが所持するユーザ識別部材のユーザＩＣタグから「定員内参加者」又は「定員外参加者」のいずれであるかを示す参加者情報を取得することができる。よって、ユーザ識別部材を所持するユーザが「定員内参加者」であるか、「定員外参加者」であるか、いずれでもない「不参加者」であるかを簡単に判断することができる。また、会場端末装置がネットワークに接続していなくても、「定員内参加者」であるか、「定員外参加者」であるか、「不参加者」であるかを判断することができるので、ネットワーク環境の整っていない実施場所であっても、ユーザの参加状態の判断を行うことができ、容易に本行き先表示システムをイベントの実施に導入することができる。
【００３４】
また、請求項１３に係る発明の会場端末装置では、請求項１１又は１２に記載の発明の効果に加えて、会場用ＩＣタグ通信装置で判断結果に基づいた情報を印刷手段により印刷することができる。したがって、「定員内参加者」であるか、「定員外参加者」であるか、「不参加者」であるかの判断結果に基づいた情報を印刷することができるので、イベント会場において様々な利用をすることができる。例えば、「定員内参加者」に対して、座席番号を印刷することができる。また、「定員内参加者」及び「定員外参加者」に資料引換券を印刷することができる。また、「定員内参加者」及び「定員外参加者」に名札を印刷できる。この際には、「定員内参加者」と「定員外参加者」とで異なるデザインの名札を印刷して区別することもできる。これらの例に限らず、イベント会場における様々な利用が可能である。
【００３５】
また、請求項１４に係る発明の会場端末装置では、請求項１１乃至１３のいずれかに記載の発明の効果に加えて、「定員内参加者」、「定員外参加者」であれば、実施場所の入り口に備えられた施錠装置を開錠することができる。よって、会場端末装置を実施場所の入り口外に設置しておけば、イベント情報に登録されている「定員内参加者」、「定員外参加者」は、ユーザ識別部材のユーザＩＣタグを読み取られせることにより、参加者のみを実施場所に入場させることができる。
【００３６】
また、請求項１５に係る発明の会場端末装置では、請求項１１乃至１４のいずれかに記載の発明の効果に加えて、「定員内参加者」であるか、「定員外参加者」であるか、「不参加者」であるかの判断結果に基づいた情報を表示することができるので、イベント会場において様々な利用をすることができる。例えば、イベント会場の係員が、表示された情報を見て、「定員内参加者」と「定員外参加者」とに応じた案内をすることができる。
【００３７】
また、請求項１６に係る発明の会場端末装置プログラムを、コンピュータに実行させることにより、請求項１１乃至１５のいずれかに記載の会場端末装置の各種処理手段としてコンピュータを機能させることができる。よって、請求項１１乃至１５のいずれかに記載の会場端末装置と同様の効果を奏することができる。
【発明を実施するための最良の形態】
【００３８】
以下、本発明の実施の形態を図面を参照して説明する。まず、図１を参照して、行き先表示システムの概要について説明する。図１は、行き先表示システムのシステム構成図である。行き先表示システムは、例えば、会社のような、複数の人物（ユーザ）が活動する環境で用いられる。図１に示すように、行き先管理サーバ１，管理者用ユーザ端末装置２，予約用ユーザ端末装置３，行き先表示端末装置４，会場端末装置５がネットワーク９を介して接続している。行き先管理サーバ１，管理者用ユーザ端末装置２，予約用ユーザ端末装置３，行き先表示端末装置４，会場端末装置５は、所謂パーソナルコンピュータである。行き先管理サーバ１は、管理部署に設置されている装置である。管理者用ユーザ端末装置２，予約用ユーザ端末装置３，行き先表示端末装置４は、本行き先表示システムを利用するユーザが日々業務を行っているオフィスに設置されている。会場端末装置５は、イベントが行われる場所に設置されている。
【００３９】
行き先管理サーバ１では、管理部署に設置される装置であり、一般のユーザが操作するものではない。そして、管理者用ユーザ端末装置２は、管理者が使用する端末である。予約用ユーザ端末装置３は、一般のユーザが使用する端末である。この予約用ユーザ端末装置３には、ラベル印刷装置６１０が接続されている。このラベル印刷装置６１０は、テープカートリッジに巻回されたテープに印刷を行うものである。さらに、ＩＣタグと更新することができる。行き先表示端末装置４は、ユーザのグループ（例えば、同じ部署に所属するユーザ、同じ部屋に席があるユーザ、同じフロアに席があるユーザ）ごとに適宜設置される端末である。ここには、当該行き先表示端末装置４に属するユーザの行き先が表示される。そして、会場端末装置５は、ラベル印刷装置６２０及び施錠装置７を接続している。ラベル印刷装置６２０は、前述のラベル印刷装置６１０と同様の印刷装置である。この会場端末装置５は、イベントの会場の入り口に設置されている。
【００４０】
本実施の形態の行き先表示システムでは、ユーザは自身を識別する識別情報（以下、「ユーザＩＤ」という）を記憶したＩＣタグ（以下、「ユーザＩＣタグ８８」という）の備えられた個人ＩＤカード８を所持している。そして、イベント（例えば、会議、研修といった特定の場所に複数のユーザが集まって行われる催し）の実施場所及び実施時間帯が、予め行き先管理サーバ１のハードディスク装置１９（図２参照）に記憶されている。イベント情報は、イベントを実施する部署のユーザが管理者用ユーザ端末装置２を操作することにより行き先管理サーバ１に記憶される。なお、イベントの参加人数に定員がある場合には、イベント情報に定員数も記憶される。
【００４１】
離席してイベントに参加したいユーザ（以下、「離席ユーザ」という）は、予約用ユーザ端末装置３を操作して、自身の行き先となる場所、その場所へ行く時間帯を入力する。すると、行き先管理サーバ１では、行き先となる場所（以下、「行き先場所」という）で、その場所へ行く時間帯（以下、「離席時間帯」という）に実施されているイベントに、当該ユーザが参加を希望しているとして、参加登録が行われる。実施されているイベント（以下、「実施イベント」という）に定員がある場合には、定員に達していない場合には「定員内参加者」として登録され、すでに定員に達している場合には「定員外参加者」として登録される。そして、実施イベントが実施されている時間帯、すなわち、離席時間帯になると、行き先表示端末装置４には、この離席ユーザが行き先場所に行き、実施イベントに参加しているという情報が表示される。また、離席ユーザが行き先場所へ赴いたら、個人ＩＤカード８をラベル印刷装置６２０へかざす。すると、会場端末装置５は、取得したユーザＩＤが実施イベントの参加者であるか否かの認証を、行き先管理サーバ１に依頼する。そして、行き先管理サーバ１で参加者であると認証されたら、施錠装置７が開錠される。これにより、離席ユーザは実施イベントの会場（行き先場所）に入ることができる。さらに、定員内の参加者である場合には、座席券がラベル印刷装置６２０で印刷される。これにより、定員内の参加者であれば、着席してイベントに参加することができる。
【００４２】
次に、図２を参照して、行き先管理サーバ１の電気的構成について説明する。図２は、行き先管理サーバ１の電気的構成を示すブロック図である。図２に示すように、行き先管理サーバ１には、行き先管理サーバ１の制御を司るＣＰＵ１１が設けられ、ＣＰＵ１１には、各種のデータを一時的に記憶するＲＡＭ１２と、ＢＩＯＳ等を記憶したＲＯＭ１３と、データの受け渡しの仲介を行うＩ／Ｏインタフェイス１４とが接続されている。Ｉ／Ｏインタフェイス１４には、ハードディスク装置１９が接続され、当該ハードディスク装置１９には、会場情報記憶エリア１９１と、イベント情報記憶エリア１９２と、行き先情報記憶エリア１９３と、ユーザ情報記憶エリア１９４と、プログラム記憶エリア１９５と、その他の情報記憶エリア１９６とが少なくとも設けられている。
【００４３】
なお、会場情報記憶エリア１９１には、イベントが行われる会場の使用状況を示す会場情報が記憶される。イベント情報記憶エリア１９２には、イベントに関する情報が記憶される。行き先情報記憶エリア１９３には、離席ユーザの行き先に関する情報が記憶される。ユーザ情報記憶エリア１９４には、ユーザに関する情報（少なくとも氏名を含む）がユーザＩＤに対応して記憶されている。プログラム記憶エリア１９５にはＣＰＵ１１で実行されるプログラムが記憶されており、その他の情報記憶エリア１９６には、行き先管理サーバ１で使用されるその他の情報が記憶されている。
【００４４】
また、Ｉ／Ｏインタフェイス１４には、通信装置１５と、マウスコントローラ１６と、キーコントローラ１７と、ビデオコントローラ１８とが接続され、マウスコントローラ１６にはマウス１６１が接続され、キーコントローラ１７にはキーボード１７１が接続され、ビデオコントローラ１８にはディスプレイ１８１が接続され、通信装置１５はネットワーク９に接続可能となっている。
【００４５】
次に、図３を参照して、予約用ユーザ端末装置３の電気的構成について説明する。図３は、予約用ユーザ端末装置３の電気的構成を示すブロック図である。図３に示すように、予約用ユーザ端末装置３には、予約用ユーザ端末装置３の制御を司るＣＰＵ３１が設けられ、ＣＰＵ３１には、各種のデータを一時的に記憶するＲＡＭ３２と、ＢＩＯＳ等を記憶したＲＯＭ３３と、データの受け渡しの仲介を行うＩ／Ｏインタフェイス３４とが接続されている。Ｉ／Ｏインタフェイス３４には、ハードディスク装置３９が接続され、当該ハードディスク装置３９には、プログラム記憶エリア３９１と、その他の情報記憶エリア３９２とが少なくとも設けられている。なお、プログラム記憶エリア３９１にはＣＰＵ３１で実行されるプログラムが記憶されており、その他の情報記憶エリア３９２には、予約用ユーザ端末装置３で使用されるその他の情報が記憶されている。
【００４６】
また、Ｉ／Ｏインタフェイス３４には、通信装置３５と、マウスコントローラ３６と、キーコントローラ３７と、ビデオコントローラ３８と、ＵＳＢコントローラ３０とが接続されている。そして、マウスコントローラ３６にはマウス３６３が接続され、キーコントローラ３７にはキーボード３７３が接続され、ビデオコントローラ３８にはディスプレイ３８３が接続され、通信装置３５はネットワーク９に接続可能となっている。そして、ＵＳＢコントローラ３０には、ラベル印刷装置６１０が接続されている。
【００４７】
次に、図４を参照して、行き先表示端末装置４の電気的構成について説明する。図４は、行き先表示端末装置４の電気的構成を示すブロック図である。図４に示すように、行き先表示端末装置４には、行き先表示端末装置４の制御を司るＣＰＵ４１が設けられ、ＣＰＵ４１には、各種のデータを一時的に記憶するＲＡＭ４２と、ＢＩＯＳ等を記憶したＲＯＭ４３と、データの受け渡しの仲介を行うＩ／Ｏインタフェイス４４とが接続されている。Ｉ／Ｏインタフェイス４４には、ハードディスク装置４９が接続され、当該ハードディスク装置４９には、プログラム記憶エリア４９１と、その他の情報記憶エリア４９２とが少なくとも設けられている。なお、プログラム記憶エリア４９１にはＣＰＵ４１で実行されるプログラムが記憶されており、その他の情報記憶エリア４９２には、行き先表示端末装置４で使用されるその他の情報が記憶されている。
【００４８】
また、Ｉ／Ｏインタフェイス４４には、通信装置４５と、マウスコントローラ４６と、キーコントローラ４７と、ビデオコントローラ４８とが接続され、マウスコントローラ４６にはマウス４６４が接続され、キーコントローラ４７にはキーボード４７４が接続され、ビデオコントローラ４８にはディスプレイ４８４が接続され、通信装置４５はネットワーク９に接続可能となっている。
【００４９】
次に、図５を参照して、会場端末装置５の電気的構成について説明する。図５は、会場端末装置５の電気的構成を示すブロック図である。図５に示すように、会場端末装置５には、会場端末装置５の制御を司るＣＰＵ５１が設けられ、ＣＰＵ５１には、各種のデータを一時的に記憶するＲＡＭ５２と、ＢＩＯＳ等を記憶したＲＯＭ５３と、データの受け渡しの仲介を行うＩ／Ｏインタフェイス５４とが接続されている。Ｉ／Ｏインタフェイス５４には、ハードディスク装置５９が接続され、当該ハードディスク装置５９には、プログラム記憶エリア５９１と、その他の情報記憶エリア５９２とが少なくとも設けられている。なお、プログラム記憶エリア５９１にはＣＰＵ５１で実行されるプログラムが記憶されており、その他の情報記憶エリア５９２には、会場端末装置５で使用されるその他の情報が記憶されている。
【００５０】
また、Ｉ／Ｏインタフェイス５４には、通信装置５５と、マウスコントローラ５６と、キーコントローラ５７と、ビデオコントローラ５８と、ＵＳＢコントローラ５０とが接続されている。そして、マウスコントローラ５６にはマウス５６５が接続され、キーコントローラ５７にはキーボード５７５が接続され、ビデオコントローラ５８にはディスプレイ５８５が接続され、通信装置５５はネットワーク９に接続可能となっている。そして、ＵＳＢコントローラ５０には、ラベル印刷装置６２０が接続されている。
【００５１】
次に、図６及び図７を参照して、ラベル印刷装置６について説明する。図６は、ラベル印刷装置６の全体構造を表す斜視図である。図７は、ラベル印刷装置６の電気的構成を示す模式図である。ラベル印刷装置６とは、ラベル印刷装置６１０及びラベル印刷装置６２０の総称である。ラベル印刷装置６１０とラベル印刷装置６２０とは、同様の構成であり、接続している端末が予約用ユーザ端末装置３であるか、会場端末装置５であるかが異なるだけである。
【００５２】
ラベル印刷装置６は、印字ヘッド６６１（図７参照）を駆動させ、テープカートリッジに巻回されたテープに印刷を行うものである。さらに、本ラベル印刷装置６は、ＲＦ通信可能な無線タグ回路素子を備えたラベルが貼付された基材テープが巻回されたテープカートリッジを用いる場合、ラベルの表面に印刷を行うだけでなく、ラベル内の無線タグ回路素子に情報を書き込むことができる。情報の書き込まれた無線タグ回路素子を備えたラベルは、所謂「ＩＣタグ」として使用することができる。また、ラベル印刷装置６は、適宜呼出波を出力し、近傍に存在するＩＣタグと通信を行い、ＩＣタグが返送してくる反射波から情報を取得することもでき、ＩＣタグに情報を書き込むこともできる。
【００５３】
まず、図６を参照してラベル印刷装置６の物理的構成について説明する。図６に示すように、ラベル印刷装置６は、外郭に略六面体（略立方体）形状の筐体６００を有する装置本体６０１と、この装置本体６０１の上面に開閉可能（又は着脱可能としてもよい）に設けられた開閉蓋６０２とを有している。装置本体６０１の筐体６００の内部には、テープカートリッジを収納するテープカートリッジ収納部と、テープに印刷を行う印刷機構と、テープを搬送するテープ搬送機構と、テープを切断する切断機構と、無線タグ回路素子と通信を行うタグ機構が設けられている。
【００５４】
装置本体６０１の前方側（図６における左手前側）に位置する前壁６０３には、テープが排出されるラベル排出口６０５が備えられており、ラベル排出口６０５の下方には、下端が回動可能に支持された前蓋６０６が備えられている。前蓋６０６は押部６０４を備えており、この押部６０４を上方より押し込むことで前蓋６０６が前方に開放される。また、前壁６０３の一端部には、ラベル印刷装置６の電源のオン・オフを行う電源キー７４が設けられている。この電源キー７４の下方には、切断機構を操作者の手動操作で駆動させるためのカッタ駆動キー７１が設けられている。
【００５５】
開閉蓋６０２は、装置本体６０１の図６における右奥側の端部にて回動可能に軸支され、バネ等の付勢部材を介して常時開放方向に付勢されている。そして、装置本体６０１の上面に開閉蓋６０２に隣接するように配置された開閉ボタン６０７が押されることにより、開閉蓋６０２と装置本体６０１とのロックが解除され、付勢部材の作用により開放される。
【００５６】
図７は、本実施形態のラベル印刷装置６の電気的構成を示すブロック図である。なお、図中に示す矢印は信号の流れの一例を示すものであり、信号の流れ方向を限定するものではない。図７に示すように、このラベル印刷装置６の制御基板（図示せず）上には、制御回路６０が配置されている。制御回路６０には、各機器を制御するＣＰＵ６１と、このＣＰＵ６１にデータバスを介して接続された入出力インタフェイス７０と、ＣＧＲＯＭ６２と、ＲＯＭ６３と、ＲＡＭ６４とが設けられている。
【００５７】
ＣＧＲＯＭ６２には、文字、記号、イラストの印字用ドットパターンが記憶されている。ＲＯＭ６３には、ラベル印刷装置６を動作させるための各種制御プログラム、制御プログラムが使用するデータが記憶されている。ＲＡＭ６４には、ラベル印刷装置６で使用されるデータが一時的に記憶される。例えば、テープに印字する情報（文字、記号、イラスト）や、無線タグ回路素子に記述する情報が記憶される。また、印字ヘッド６６１で印字を行う際には、印字ヘッドの各ドットの形成エネルギ量である印加パルス数が記憶される。また、ＲＡＭ６４には、ＩＣタグから取得された情報や、ＩＣタグに書き込む情報を記憶する記憶エリアも設けられている。
【００５８】
入出力インタフェイス７０には、駆動回路６６と、駆動回路６７と、駆動回路６８と、駆動回路６５と、駆動回路６９と、マークセンサ７３と、カートリッジセンサ７２と、カッタ駆動キー７１と、ＵＳＢコントローラ９５と、送信回路８１と、受信回路８２とが接続されている。駆動回路６６は印字ヘッド６６１を駆動し、駆動回路６７は、搬送用モータ６７１を駆動し、駆動回路６８は、カッターモータ６８１を駆動し、駆動回路６５は、ハーフカッターモータ６５１を駆動し、駆動回路６９は、テープ排出モータ６９１を駆動する。マークセンサ７３は、基材テープに貼付されているラベルにおける無線タグ回路素子の位置を示す識別マークを検出する。カートリッジセンサ７２は、テープカートリッジの装着状態を検出する。カッタ駆動キー７１は、テープを切断するためにカッターモータ６８１を駆動させるための指示を受け付けるキーである。ＵＳＢコントローラ９５は、外部の機器を接続する。本実施の形態では予約用ユーザ端末装置３を接続する。
【００５９】
そして、送信回路８１及び受信回路８２は、アンテナ共用器８３と切替回路８４とを介して取得用ループアンテナ８５及び書込用ループアンテナ８６を接続している。切替回路８４は、制御回路６０からの制御信号に基づき、アンテナ共用器８３に接続するループアンテナ８５，８６を切り替える。制御回路６０は、ＩＣタグから情報を読み取る際には、取得用ループアンテナ８５に接続する制御信号を切替回路８４に出力し、ＩＣタグへ情報を書き込む際には、書込用ループアンテナ８６を接続する制御信号を切替回路８４に出力する。送信回路８１は、制御回路６０からの制御信号に基づき搬送波の変調制御を行い、書込用ループアンテナ８６から質問波を出力する。受信回路８２は、取得用ループアンテナ８５で受信したＩＣタグからの反射波を復調する。
【００６０】
ＵＳＢコントローラに接続した機器（管理者用ユーザ端末装置２，予約用ユーザ端末装置３）から、テープへの印字の指示がなされた場合には、ＲＡＭ６４に印字する情報（文字、記号、イラスト）やそのサイズ等が記憶される。そして、ＣＧＲＯＭ６２から各文字等のドットデータが読み出され、指示された位置・サイズでテープ上に印刷されるようなドットデータが構成され、ＲＡＭ６４の印字バッファに記憶される。そして、印字バッファのドットデータが１ライン分ずつ読み出され、駆動回路６６が印字ヘッド６６１の各発熱素子が１ライン分の印字ドットに対応して選択的に発熱駆動されることにより印刷が行われる。そして、１ライン分の印刷が行われるたびに、駆動回路６７により搬送用モータ６７１が駆動され、テープが搬送される。
【００６１】
また、ＵＳＢコントローラに接続した機器（管理者用ユーザ端末装置２，予約用ユーザ端末装置３）から、ＩＣタグラベルの作成の指示がなされた場合には、ＲＡＭ６４にＩＣタグに書き込まれる情報が記憶される。そして、駆動回路６７により搬送用モータ６７１が駆動され、テープが搬送され、マークセンサ７３により識別マークが検知されたら、無線タグ回路素子に対して書き込みが行われる。
【００６２】
次に、図８乃至図１０を参照して、行き先管理サーバ１のハードディスク装置１９に設けられている記憶エリアについて説明する。図８は、会場情報記憶エリア１９１の構成を示す模式図であり、図９は、イベント情報記憶エリア１９２の構成を示す模式図であり、図１０は、行き先情報記憶エリア１９３の構成を示す模式図である。
【００６３】
まず、図８を参照して、会場情報記憶エリア１９１について説明する。会場情報記憶エリア１９１には、会場の使用状況を示す会場情報が記憶されている。図８に示すように、会場情報記憶エリア１９１には、会場ＩＤ，会場名，日付、時間帯別イベントＩＤが記憶されている。つまり、会場ごとで、日付・時間帯ごとに、実施されるイベントを識別するイベントＩＤが記憶されている。時間帯別イベントＩＤは、時間帯は１時間ごとに区切られ、その時間帯に予定されているイベントのイベントＩＤが記憶される。図８においては、一部省略されているが、０時台、１時台、・・・・、２２時台、２３時台の２４の時間帯に区切られている。図８に示す例では、「大ホール」にて２００８年５月３０日の９時台にイベントＩＤ「Ｅ９９９９９」のイベントが予定されている。「中ホール」にて２００８年５月３０日の１０時台にイベントＩＤ「Ｅ１０１０１」のイベントが予定されている。「会議室１０１」では、２００８年５月３０日の８時台及び９時台にイベントＩＤ「Ｅ８８８８８」のイベントが予定されている。「会議室１０２」では、２００８年５月３０日の１１時台にイベントＩＤ「Ｅ１１１１１」のイベントが予定されている。
【００６４】
次に、図９を参照して、イベント情報記憶エリア１９２について説明する。イベント情報記憶エリア１９２には、イベントに関する情報であるイベント情報が記憶される。図９に示すように、イベント情報記憶エリアでは、イベントＩＤごとに、定員，定員内参加者ＩＤ，定員外参加者ＩＤが記憶される。「定員」には、イベントの参加人数に定員がある場合に、その人数が記憶される。「定員内参加者ＩＤ」には、定員内の参加者とされたユーザのユーザＩＤが記憶される。この「定員内参加者ＩＤ」には、定員数だけの記憶エリアが生成される。「定員外参加者ＩＤ」には、定員外の参加者とされたユーザのユーザＩＤが記憶される。また、定員が設定されていないイベントの場合、全ての参加者のユーザＩＤは、「定員内参加者ＩＤ」に記憶される。この場合、「定員内参加者ＩＤ」には所定量（例えば、５０）の記憶エリアが生成され、それ以上のユーザＩＤを記憶する必要が生じた場合には、記憶エリアが追加される。この他にイベントの名称、イベントの内容といったイベントに関する情報が記憶されていてもよい。
【００６５】
次に、図１０を参照して、行き先情報記憶エリア１９３について説明する。行き先情報記憶エリア１９３には、ユーザＩＤ，端末ＩＤ，行き先ＩＤ，日付，時間帯が記憶される。ユーザＩＤには、離席ユーザの行き先に関する情報が記憶される。ユーザＩＤには離籍ユーザのユーザＩＤが記憶される。端末ＩＤには、離席ユーザの席が属している行き先表示端末装置４を識別する行き先表示端末装置ＩＤが記憶される。つまり、この離席ユーザの行き先が表示される行き先表示端末装置４の行き先表示端末装置ＩＤである。そして、行き先ＩＤには、離席ユーザの行き先の会場を示す会場ＩＤが記憶される。日付には、離席ユーザが離席してイベントに参加する日付が記憶され、時間帯には、イベントに参加する時間帯が記憶される。
【００６６】
次に、図１１乃至図１３を参照して、本行き先表示システムで用いられる画面について説明する。図１１は、イベント登録画面１００の模式図であり、図１２は、行き先登録画面１０１の模式図であり、図１３は、行き先表示画面１０２の模式図である。
【００６７】
次に、図１１を参照して、イベント登録画面１００について説明する。このイベント登録画面１００は、イベントの主催者が管理者用ユーザ端末装置２を使用して、イベントの情報を登録するための画面である。図１１に示すように、イベント登録画面１００では、行き先，日付，時間帯，定員を選択できる。行き先欄はリストボックスとなっており、会場情報記憶エリア１９１に登録されている会場の会場名が選択可能となっている。日付欄もリストボックスとなっており、日付が選択可能となっている。この日付は、本日から所定期間（例えば、一ヶ月）を表示させればよい。そして、時間帯欄はリストボックスとなっており、イベントの開始時刻とイベントの終了時刻とを選択するようになっている。本実施の形態では、イベントの実施は１時間ごとに管理されているので、９：００，１０：００時といった０分の時刻から選択するものとする。そして、定員欄は、テキストボックスとなっており、定員の人数として数値が入力される。なお、リストボックスの入力欄は、ユーザが値を入力するテキストボックスであってもよい。
【００６８】
まず、図１２を参照して、行き先登録画面１０１について説明する。この行き先登録画面１０１は、離席ユーザが、予約用ユーザ端末装置３を使用して、行き先を登録するための画面である。離席ユーザは、自身の個人ＩＤカード８をラベル印刷装置６１０にかざし、個人ＩＤカード８のユーザＩＣタグ８８に記憶されているユーザＩＤを読み取らせる。これにより、予約用ユーザ端末装置３は、行き先を登録しようとしているユーザを識別することができる。図１２に示すように、行き先登録画面１０１には、ユーザＩＤ及びユーザ名が表示されており、行き先，離席日，離席時間帯を選択可能となっている。ユーザＩＤは、ラベル印刷装置６１０より読み取られたユーザＩＤが表示される。ユーザ名には、ユーザ情報記憶エリア１９４が参照され、読み取られたユーザＩＤのユーザの氏名が表示される。そして、行き先欄はリストボックスとなっており、会場情報記憶エリア１９１に登録されている会場の会場名が選択可能となっている。そして、離席日欄もリストボックスとなっており、日付が選択可能となっている。この日付は、本日から所定期間（例えば、一ヶ月）を表示させてもよいし、会場情報記憶エリア１９１においてイベントの予定が入っている日付を全て表示させてもよいし、本日からイベントの予定が入っている最後の日付までを表示させてもよい。そして、離席時間帯欄はリストボックスとなっており、離席の開始時刻と離席の終了時刻とを選択するようになっている。本実施の形態では、イベントの実施は１時間ごとに管理されているので、９：００，１０：００時といった０分の時刻から選択するものとする。なお、入力欄はリストボックスに限らず、ユーザが値を入力するテキストボックスであってもよい。
【００６９】
次に、図１３を参照して、行き先表示画面１０２について説明する。行き先表示画面１０２は、行き先表示端末装置４のディスプレイ４８４に表示される画面である。ここには、行き先表示端末装置４に属するユーザが離席する予定がある場合に、その行き先が表示される。図１３に示すように、行き先表示画面１０２には、ユーザＩＤ，氏名，行き先，時間帯，定員数，定員が離席ユーザごとに表示されている。ユーザＩＤには、離席ユーザのユーザＩＤが表示され、氏名には離席ユーザの氏名が表示される。そして、行き先には、離席ユーザの行き先となる会場の会場名が表示され、時間帯にはイベントに参加する時間帯が表示される。定員数には、イベントの定員数が表示され、予約数にはイベントに参加予約しているユーザの数が表示され、定員には、この離席ユーザがこのイベントの定員内の参加者である場合には「○」が表示され、定員外の参加者である場合には「×」が表示される。
【００７０】
この行き先表示画面１０２は、行き先表示端末装置４が起動され、ネットワーク９を介して行き先管理サーバ１に接続した際にディスプレイ４８４に表示されるものである。行き先表示端末装置４は、起動すると、行き先表示のための情報（表示情報）の送信を依頼する情報を行き先管理サーバ１へ送信する。この依頼の情報には、自身の端末を識別する行き先表示端末装置ＩＤも記載されている。すると、行き先管理サーバ１では、行き先情報記憶エリア１９３が参照され、「端末ＩＤ」が送信された行き先表示端末装置ＩＤであり、「日付」が本日の日付であるレコードが抽出される。そして、これらのレコードに基づいて、行き先表示画面１０２を出力するための情報が作成される。なお、行き先表示画面１０２の「氏名」はユーザ情報記憶エリア１９４が参照され、ユーザＩＤに対応した氏名がセットされる。さらに、「行き先」には、会場情報記憶エリア１９１が参照され、行き先ＩＤに対応した会場名がセットされる。さらに、会場情報記憶エリア１９１から、行き先ＩＤ，日付，時間帯で特定されるイベントのイベントＩＤが取得され、イベント情報記憶エリア１９２からイベントの定員数、定員内参加者の予約数が取得され、「定員数」，「予約数」にそれぞれセットされる。さらに、イベントに定員が設定されている場合には、行き先情報記憶エリア１９３のユーザＩＤがイベント情報記憶エリア１９２の「定員内参加者ＩＤ」に記憶されているか、「定員外参加者ＩＤ」に記憶されているかに基づいて「定員」に「○」又は「×」がセットされる。なお、定員が設定されていないイベントには「定員数」，「予約数」，「定員」に「−」がセットされる。そして、種々の情報がセットされた表示情報が依頼してきた行き先表示端末装置４に送信される。なお、このような表示情報の作成、送信をするＣＰＵ１１が「表示情報送信手段」に相当する。さらに、表示情報を受信してディスプレイ４８４に行き先表示画面１０２を表示させる処理を行う行き先表示端末装置４のＣＰＵ４１が「行き先表示制御手段」に相当する。
【００７１】
次に、図１４を参照して、管理者用ユーザ端末装置２で行われるイベント登録処理について説明する。図１４は、イベント登録処理のフローチャートである。この処理は、管理者用ユーザ端末装置２において、「イベント登録」のメニューが選択されると、ＣＰＵ２１がイベント登録プログラムを実行することにより行われる。
【００７２】
まず、イベント登録を依頼する「イベント登録依頼情報」が行き先管理サーバ１へ送信される（Ｓ１）。すると、行き先管理サーバ１では、イベント登録画面１００を表示させるための情報を管理者用ユーザ端末装置２へ送信してくる。そこで、送信された情報が受信され、受信された情報に基づいてイベント登録画面１００が表示される（Ｓ２）。そこで、イベント登録画面１００（図１１参照）への入力の受付が行われる（Ｓ３）。ここでは、各入力項目への入力が受け付けられ、「確定」ボタンの選択が入力されると、Ｓ３へ進み、入力された情報で構成されるイベント登録情報が行き先管理サーバ１へ送信される。行き先管理サーバ１では、イベント登録情報を受信すると、まず、イベントに対してイベントＩＤが割り当てられる。そして、会場情報記憶エリア１９１において、イベント登録状況の示す会場の「時間帯別イベントＩＤ」のイベント登録情報の示す時間帯に、割り当てられたイベントＩＤが記憶される。そして、イベント情報記憶エリア１９２にレコードが作成され、「イベントＩＤ」に割り当てられたイベントＩＤが記憶される。そして、「定員」にイベント登録情報の示す定員数が記憶される。このようにして、管理者用ユーザ端末装置２を用いて、イベントの会場、日時、定員を簡単に登録することができる。
【００７３】
次に、図１５乃至図１８を参照して、予約用ユーザ端末装置３での処理について説明する。図１５は、予約用ユーザ端末装置３の行き先設定メイン処理のフローチャートであり、図１６は、行き先設定メイン処理の中で実施される行き先登録処理のフローチャートであり、図１７は、行き先登録処理の中で実施される定員あり行き先設定処理のフローチャートである。図１８は、行き先設定メイン処理の中で実施されるキャンセル処理のフローチャートである。
【００７４】
まず、種々の情報が初期化される（Ｓ１１）。次いで、個人ＩＤカード８の読み取り処理が行われる（Ｓ１２）。具体的には、ラベル印刷装置６１０の取得用ループアンテナ８５がＩＣタグからの反射波を検知することにより、ＩＣタグを検知し、反射波に含まれている情報が予約用ユーザ端末装置３に入力される。そして、入力された情報が個人ＩＤカード８のユーザＩＣタグ８８のフォーマットのものであるか否かが判断される。そして、個人ＩＤカード８のユーザＩＣタグ８８のフォーマットのものであれば、入力された情報からユーザＩＤが取得され、ＲＡＭ３２の所定の記憶エリアに記憶される。そして、Ｓ１３へ進む。なお、個人ＩＤカード８のユーザＩＣタグ８８のフォーマットでなければ、そのまま、次にラベル印刷装置６１０がＩＣタグを検知するまで引き続き待機する。
【００７５】
そして、ディスプレイ２８２にメニュー画面（図示外）が表示される（Ｓ１３）。このメニュー画面では、「登録処理」，「キャンセル処理」，「終了」の３つの選択肢が設けられている。そこで、「登録処理」が選択されれば（Ｓ１４：ＹＥＳ）、行き先登録処理が行われる（Ｓ１７、図１６参照）。行き先登録処理では、ユーザの行き先を登録するための処理が行われるが、詳細については、図１６及び図１７を参照して後述する。また、「キャンセル処理」が選択されれば（Ｓ１５：ＹＥＳ）、キャンセル処理が行われる（Ｓ１８、図１８参照）。キャンセル処理では、すでに登録されている行き先への外出をキャンセルする処理が行われるが、詳細については、図１８を参照して後述する。また、「終了」が選択されれば（Ｓ１６：ＹＥＳ）、本処理は終了される。なお、いずれの選択肢も選択されない場合には（Ｓ１４：ＮＯ，Ｓ１５：ＮＯ，Ｓ１６：ＮＯ）、Ｓ１４〜Ｓ１６の処理が繰り返し行われる。
【００７６】
次に、図１６及び図１７を参照して、行き先登録処理について説明する。まず、行き先登録の処理の開始を依頼する「行き先登録開始情報」が行き先管理サーバ１へ送信される（Ｓ２１）。この「行き先登録開始情報」には、Ｓ１２で個人ＩＤカード８のユーザＩＣタグ８８から読み取られた情報に含まれるユーザＩＤ（以下、「取得ユーザＩＤ」という）が記載されている。行き先管理サーバ１では、「行き先登録開始情報」を受信すると、取得ユーザＩＤの認証が行われた後に、行き先登録のための行き先登録画面１０１の情報を送信してくる（図１９、Ｓ５０，Ｓ５１）。そこで、予約用ユーザ端末装置３では、行き先登録画面１０１が表示され（Ｓ２２）、行き先登録画面１０１への入力が受け付けられる（Ｓ２３）。行き先登録画面１０１において、「確定」が選択されたらＳ２４へ進む。そして、行き先登録画面１０１の各入力項目に入力された情報「入力情報」として行き先管理サーバ１へ送信される（Ｓ２４）。
【００７７】
行き先管理サーバ１では、「入力情報」を受信すると、入力情報に記載された行き先で，入力された日時に予定されているイベントのイベント情報が抽出され、このイベント（以下、「抽出イベント」という）において定員が設定されているか否かを示す「定員有無回答」が作成され、予約用ユーザ端末装置３へ返送される（図１９、Ｓ５２〜Ｓ５４）。そこで、予約用ユーザ端末装置３では、行き先管理サーバ１から「定員有無回答」を受信すると（Ｓ２５）、「定員有無回答」に基づいて、行き先のイベントに定員があるか否かの判断が行われる（Ｓ２６）。定員がなければ（Ｓ２６：ＮＯ）、行き先のイベントへの登録に定員を気にする必要はない。そこで、行き先管理サーバ１へ「予約情報」が送信される（Ｓ２７）。「予約情報」には、行き先の場所を特定する情報（会場ＩＤ）、イベントの実施時間帯を特定する情報、定員なしでの参加を示す情報が記載されている。なお、行き先管理サーバ１では、「予約情報」を受信すると、抽出イベントの参加者のユーザＩＤとして、取得ユーザＩＤを記憶する。そして、登録された結果がディスプレイ３４８に表示され（Ｓ２８）、行き先設定メイン処理へ戻る。ここでは、イベントＩＤ，会場ＩＤ，会場名，イベントの実施時間帯，参加者として登録されたユーザのユーザＩＤ及び氏名が表示される。さらに、イベントが「定員なしのイベント」である旨も表示される。
【００７８】
一方、定員があれば（Ｓ２６：ＹＥＳ）、定員あり行き先設定処理が行われる（Ｓ２９、図１７参照）。図１７に示すように、定員あり行き先設定処理では、まず、抽出イベントの登録状況の問合せを行う「登録状況問合せ」が行き先管理サーバ１へ送信される（Ｓ３１）。行き先管理サーバ１では、「登録状況問合せ」を受信すると、抽出イベントに対する取得ＩＤの登録状況、抽出イベントの予約状況が検査される。具体的には、抽出イベントに対して取得ＩＤのユーザが参加者とされているか否かの情報、抽出イベントの定員内の予約が一杯（定員オーバー）であるか否か（定員内の参加者として登録できるか否か）の情報が生成され、「登録状況回答」として、予約用ユーザ端末装置３へ送信される。
【００７９】
そこで、予約用ユーザ端末装置３では、行き先管理サーバ１から登録状況回答を受信したら（Ｓ３２）、取得ＩＤのユーザが抽出イベントに予約済みのユーザであるか否かの判断が行われる（Ｓ３３）。予約済みのユーザであれば（Ｓ３３：ＹＥＳ）、重ねて予約することはできないので、本処理が終了され、行き先登録処理へ戻り、行き先設定メイン処理へ戻る。
【００８０】
また、予約済みのユーザでなければ（Ｓ３３：ＮＯ）、定員オーバーであるか否かの判断が行われる（Ｓ３４）。定員オーバーであれば（Ｓ３４：ＹＥＳ）、定員内での予約はできない。そこで、定員オーバーのメッセージがディスプレイ３８３に表示される（Ｓ３７）。そして、定員外参加者としてイベントへ参加する予約をする「予約情報」が行き先管理サーバ１へ送信される（Ｓ３８）。行き先管理サーバ１では、「予約情報」を受信すると、取得ユーザＩＤを抽出イベントの定員外参加者ＩＤとして記憶する。そして、本処理が終了され、行き先登録処理へ戻り、行き先設定メイン処理へ戻る。
【００８１】
一方、定員オーバーでなければ（Ｓ３４：ＮＯ）、定員内参加者としてイベントに参加する予約をする「予約情報」が行き先管理サーバ１へ送信される（Ｓ３５）。行き先管理サーバ１では、「予約情報」を受信すると、取得ユーザＩＤを抽出イベントの定員内参加者ＩＤとして記憶する。そして、本処理が終了され、行き先登録処理へ戻り、登録された結果がディスプレイ３４８に表示され（Ｓ２８）、行き先設定メイン処理へ戻る。ここでは、イベントＩＤ，会場ＩＤ，会場名，イベントの実施時間帯，参加者として登録されたユーザのユーザＩＤ及び氏名が表示される。さらに、イベントが「定員ありのイベント」である旨も表示され、定員数と参加者が「定員内参加者」として登録されたか、「定員外参加者」として登録されたかの情報も表示される。
行き先設定メイン処理へ戻る。
【００８２】
以上のようにして、行き先登録処理では、個人ＩＤカード８からユーザＩＤを取得すると、行き先登録画面１０１を用いて、そのユーザＩＤ（取得ユーザＩＤ）のユーザの行き先を行き先管理サーバ１に登録することができる。つまり、離席ユーザは、個人ＩＤカードをラベル印刷装置６１０に読み取らせ、行き先場所と離席時間帯を指定するだけで、その行き先場所で離席時間帯に実施されるイベントへの参加予約をすることができる。また、予約が定員を満たしていても、定員外参加者として予約することができ、予約を拒否されることがなく、柔軟な予約の受付を行うことができる。さらに、行き先表示端末装置４に行き先を表示させるための登録も同時に行えるので、２つの入力を別々に行うことにより手間を省くことができ、入力ミスも回避することができる。
【００８３】
次に、図１８を参照して、キャンセル処理について説明する。キャンセル処理では、まず、すでに登録されている行き先への外出をキャンセルする処理を依頼する「キャンセル依頼」が行き先管理サーバ１へ送信される（Ｓ４１）。この「キャンセル依頼」には、Ｓ１２で読み取られた取得ユーザＩＤも記載されている。行き先管理サーバ１では、「キャンセル依頼」を受信すると、キャンセル画面（図示外）を表示させるための情報を予約用ユーザ端末装置３へ送信する。このキャンセル画面には、取得ユーザＩＤ，取得ユーザＩＤのユーザの氏名，キャンセルする予約の行き先を指定する行き先指定欄，キャンセルする時間帯を指定する時間帯指定欄，キャンセル実行ボタンが設けられている。そこで、キャンセル画面への入力の受付処理が行われる（Ｓ４２）。ここで、個人ＩＤカード８を読み取らせたユーザは、キャンセルしたい予約の行き先、時間帯を入力する。そして、キャンセル実行ボタンが選択されると、Ｓ４３へ進む。Ｓ４３では、キャンセル画面で入力された情報が「キャンセル情報」として行き先管理サーバ１へ送信される（Ｓ４３）。「キャンセル情報」には、取得ユーザＩＤ，キャンセルする予約の行き先を示す会場ＩＤであるキャンセル会場ＩＤ，キャンセルする時間帯を示す情報であるキャンセル時間帯情報が記載されている。なお、行き先管理サーバ１では、「キャンセル情報」を受信すると、キャンセル情報の示すイベントの参加者から、取得ユーザＩＤを削除する。
【００８４】
以上のようにして、予約されている行き先をキャンセルすることができ、個人ＩＤカード８にもその情報を反映させることができる。なお、キャンセル画面には、取得ユーザＩＤが参加者とされているイベントの会場及び時間帯を表示させ、その中からキャンセルする行き先を選択させるようにしてもよい。この、取得ユーザＩＤが参加者とされているイベントについては、行き先管理サーバ１においてイベント情報記憶エリア１９２から抽出してもよいし、予約用ユーザ端末装置３が個人ＩＤカード８から取得してもよい。
【００８５】
次に、図１９を参照して、行き先管理サーバ１で行われるサーバ行き先登録処理について説明する。図１９は、サーバ行き先登録処理のフローチャートである。この処理は、行き先管理サーバ１が、予約用ユーザ端末装置３から送信（図１６、Ｓ２１）された「行き先登録開始情報」を受信し、ＣＰＵ１１で行き先登録プログラムが実行されることにより開始される。
【００８６】
まず、ユーザ情報記憶エリア１９４から「行き先登録開始情報」に記載されている取得ユーザＩＤの情報が抽出される（Ｓ５０）。つまり、ユーザの認証が行われる。なお、詳述しないが、ここで取得ユーザＩＤがユーザ情報記憶エリア１９４に記憶されていなければ、エラーの情報が予約用ユーザ端末装置３に送信され、予約用ユーザ端末装置３ではエラーの処置（エラー表示）が行われる。そして、行き先登録画面１０１を表示させるための情報が、「行き先登録開始情報」を送信してきた予約用ユーザ端末装置３へ送信される（Ｓ５１）。ここでは、Ｓ５０で取得された取得ユーザＩＤの情報（ユーザの氏名）が使用される。
【００８７】
そして、入力情報の受信処理が行われる（Ｓ５２）。この入力情報は、予約用ユーザ端末装置３において行き先登録画面１０１に入力された情報である（図１６、Ｓ２３，Ｓ２４）。ここで、入力情報に記載されている会場を特定する会場情報ＩＤを「入力会場ＩＤ」、入力情報に記載されている時間帯を「入力時間帯」というものとする。そして、入力会場ＩＤの会場で、入力時間帯に実施されるイベントのイベント情報がイベント情報記憶エリア１９２から抽出される（Ｓ５３）。そして、抽出されたイベント情報の示すイベント（抽出イベント）の「定員有無回答」が作成されて、予約用ユーザ端末装置３へ送信される（Ｓ５４）。「定員有無回答」は、抽出されたイベント情報の「定員」に定員の人数が記憶されている場合には、「定員あり」を示す情報がセットされ、「定員」に定員の人数が記憶されていない場合には、「定員なし」を示す情報がセットされる。なお、「定員有無回答」を受信した予約用ユーザ端末装置３では、「定員なし」の場合「予約情報」を送信してくる（図１６、Ｓ２７）。また、「定員あり」の場合には、「登録状況問合せ」を送信してくる（図１７、Ｓ３１）。そして、その後「予約情報」を送信してくる（図１７、Ｓ３５，Ｓ３８）。
【００８８】
そこで、「予約情報」を受信した場合には（Ｓ５５：ＹＥＳ）、受信した「予約情報」に基づいて、イベント情報記憶エリア１９２及び行き先情報記憶エリア１９３が更新される（Ｓ５７）。具体的に、行き先情報記憶エリア１９３では、「ユーザＩＤ」に取得ユーザＩＤが記憶され、「端末ＩＤ」には、ユーザ情報記憶エリア１９４において取得ユーザＩＤに対応して記憶されている行き先表示端末装置ＩＤが記憶される。つまり、このユーザの行き先を表示させる行き先表示端末装置４のＩＤが記憶される。「日付」及び「時間帯」には、予約情報の実施時間帯の示す日付及び時間帯が記憶される。そして、行き先には予約情報の会場ＩＤが記憶される。また、イベント情報記憶エリア１９２については、「予約情報」の内容に応じた更新の詳細について説明する。「定員なし」の「予約情報」である場合には、「イベントＩＤ」が抽出イベントのイベントＩＤ（以下、「抽出イベントＩＤ」という）の「定員内参加者ＩＤ」に取得ユーザＩＤが記憶される。「定員あり」の場合に定員内参加者として予約する「予約情報」である場合にも、「イベントＩＤ」が抽出イベントＩＤの「定員内参加者ＩＤ」に取得ユーザＩＤが記憶される。また、「定員あり」の場合に定員外参加者として予約する「予約情報」である場合には、「イベントＩＤ」が抽出イベントＩＤの「定員外参加者ＩＤ」に取得ユーザＩＤが記憶される。
【００８９】
また、「登録状況問合せ」を受信した場合には（Ｓ５６：ＹＥＳ）、「登録状況回答」が作成され、予約用ユーザ端末装置３に返送される（Ｓ５８）。前述したように、「登録状況回答」には、抽出イベントに対して取得ユーザＩＤのユーザが参加者とされているか否かの情報、抽出イベントが定員オーバーであるか否かの情報が記載される。そこで、まず、取得ユーザＩＤが、イベント情報記憶エリア１９２の「定員内参加者ＩＤ」又は「定員外参加者ＩＤ」に記憶されていれば、抽出イベントの参加者であることを示す情報が「登録状況回答」に記載される。いずれにも記憶されていなければ、抽出イベントの参加者でないことを示す情報が「登録状況回答」に記載される。次いで、イベント情報記憶エリア１９２が参照され、「定員内参加者ＩＤ」に「定員」の数だけのユーザＩＤが記憶されている、つまり、「定員内参加者ＩＤ」の全ての記憶エリアにユーザＩＤが記憶されている場合には、定員オーバーであることを示す情報が「登録状況回答」に記憶される。また、そうでなければ、定員オーバーでないことを示す情報が「登録状況回答」に記憶される。そして、サーバ行き先登録処理は終了する。
【００９０】
なお、「予約情報」も「登録状況問合せ」も受信しない場合には（Ｓ５５：ＮＯ，Ｓ５６：ＮＯ）、Ｓ５５へ戻り、繰り返しＳ５５，Ｓ５６の処理が行われる。
【００９１】
以上のようにして、「行き先登録開始情報」を予約用ユーザ端末装置３から受信すると、予約用ユーザ端末装置３に行き先登録画面１０１を表示させ、ユーザが入力した行き先，時間帯からなる入力情報を取得することができる。そして、ユーザに入力された行き先において、入力された時間帯に予定されているイベントを抽出することができる。そして、イベントの定員有無を示す「定員有無回答」を予約用ユーザ端末装置３に返送する。そして、「定員有無回答」の示す情報に応じて、予約用ユーザ端末装置３から「予約情報」が送信されてくる。そして、行き先管理サーバ１では、予約情報に示された内容に応じてイベント情報記憶エリア１９２を更新することにより、ユーザを抽出イベントの参加者として登録することができる。そして、行き先情報記憶エリア１９３を更新することにより、行き先表示端末装置４に表示される情報に入力された行き先を反映させることができる。
【００９２】
次に、図２０を参照して、サーバキャンセル処理について説明する。図２０は、サーバキャンセル処理のフローチャートである。この処理は、行き先管理サーバ１が、予約用ユーザ端末装置３から送信（図１８、Ｓ４４）された「キャンセル情報」を受信し、ＣＰＵ１１でキャンセルプログラムが実行されることにより開始される。
【００９３】
まず、キャンセル情報に示されているイベントへの取得ユーザＩＤのユーザの参加がキャンセルされる（Ｓ６１）。具体的には、会場情報記憶エリア１９１から、キャンセル会場ＩＤにおける、キャンセル時間帯情報の示す時間帯に実施されるイベントのイベントＩＤ（以下、「キャンセルイベントＩＤ」という）が取得される。そして、イベント情報記憶エリア１９２において、キャンセルイベントＩＤの「定員内参加者ＩＤ」又は「定員外参加者ＩＤ」から取得ユーザＩＤが削除される。さらに、行き先情報記憶エリア１９３から、「ユーザＩＤ」が取得ユーザＩＤであり、「行き先」がキャンセル会場ＩＤであり、「日付」及び「時間帯」がキャンセル時間帯の示す時間帯であるレコードが削除される。
【００９４】
次いで、キャンセルを指示したユーザがキャンセルされたイベントの定員内参加者であって、定員外参加者がいるか否かの判断が行われる（Ｓ６２）。具体的には、Ｓ６１において、取得ユーザＩＤが削除されたイベント、つまり、キャンセルイベントＩＤのイベントにおいて、「定員内参加者ＩＤ」にユーザＩＤが記憶されていない記憶エリアがあり、かつ、「定員外参加者ＩＤ」にユーザＩＤが記憶されているか否かの判断が行われる。そして、定員外参加者がいれば（Ｓ６２：ＹＥＳ）、優先順位が最上位の定員外参加者が定員内参加者に繰り上げられる（Ｓ６３）。つまり、「定員外参加者ＩＤ」の一番目に記憶されているユーザＩＤが削除され、「定員内参加者ＩＤ」の末尾に記憶される。そして、「定員外参加者ＩＤ」の２番目以降のユーザＩＤが、１つずつ繰り上げて記憶される。そして、本処理は終了する。一方、定員外参加者がいなければ（Ｓ６２：ＮＯ）、本処理は終了する。
【００９５】
以上のようにして、行き先管理サーバ１では、予約用ユーザ端末装置３から、予約された行き先のキャンセルの指示を受けると、会場情報記憶エリア１９１、イベント情報記憶エリア１９２、行き先情報記憶エリア１９３から関係する情報を削除して、イベント予約をキャンセルすることができる。さらに、キャンセルされたイベントが定員設定のなされているものであり、キャンセルしたユーザが定員内参加者であった場合には、キャンセルにより空いた定員内参加者の枠に、定員外参加者が繰り上げられる。よって、次にから予約してきたユーザが定員内参加者となってしまい、先に予約したが定員外参加者となってしまったユーザが定員外参加者のままという不公平感を回避することができる。
【００９６】
次に、図２１を参照して、イベント会場における会場端末装置５の入室時処理について説明する。図２１は、入室時処理のフローチャートである。前述したように、会場端末装置５は、イベント会場の入り口の外に設置される装置である。この処理は、イベント会場において参加者の受付業務が開始される前に、ＣＰＵ５１が入室時プログラムを実行することにより開始される。
【００９７】
まず、実施されるイベントを識別する情報の入力が受け付けられ、ＲＡＭ５２の所定の記憶エリアに記憶される（Ｓ７０）。具体的には、会場名を選択可能な会場選択画面が表示され、選択入力が受け付けられる。そして、選択された会場名に対応した会場ＩＤが行き先管理サーバ１へ送信される。行き先管理サーバ１では、本日日付，現在の時刻，送信された会場ＩＤに基づいて、会場で実施されるイベントが抽出される。具体的には、会場情報記憶エリア１９１が参照され、「会場ＩＤ」が送信された会場ＩＤであり、「日付」が本日日付でありレコードの「時間帯別イベントＩＤ」が参照される。この「時間帯別イベントＩＤ」の現在時刻が含まれる時間帯（現在時間帯）及び現在時間帯の次の時間帯に実施されるイベントが抽出される。そして、抽出されたイベントのイベントＩＤを選択可能なイベント選択画面を予約用ユーザ端末装置３に表示させる。そして、イベント選択画面で表示されたイベントＩＤが行き先管理サーバ１へ送信される。行き先管理サーバ１では、送信されたイベントＩＤをＲＡＭ３２の所定の記憶エリアに記憶する。これにより、会場端末装置５でどのイベントの受付が行われているのかを行き先管理サーバ１で認識することができる。なお、会場端末装置５が設置されている会場で実施されるイベントを「実施イベント」といい、実施イベントのイベントＩＤを「実施イベントＩＤ」という。
【００９８】
次いで、個人ＩＤカード検知処理が行われる（Ｓ７１）。ここでは、ラベル印刷装置６２０の取得用ループアンテナ８５がユーザＩＣタグ８８タグからの反射波を検知し、反射波から取得された情報を出力してくるのが待機される。出力された場合には、出力された情報がＲＡＭ５２の所定の記憶エリアに記憶される。そして、出力された情報が個人ＩＤカード８のユーザＩＣタグ８８から出力されたものであるか否かの判断が行われる。ここでは、出力された情報のフォーマットが、予め定められた個人ＩＤカード８のユーザＩＣタグ８８のフォーマットであるか否かにより判断するものとする。ここで、予め定められたフォーマットでなければ、関係のないＩＣタグと通信を行っていることになる。そして、予め定められたフォーマットの情報が取得されれば、個人ＩＤカード８のユーザＩＣタグ８８と通信が行われたことになるので、Ｓ７２へ進む。
【００９９】
Ｓ７２では、取得された情報からユーザＩＤが読み出され、行き先管理サーバ１へ送信される（Ｓ７２）。以下、取得された情報から読み出されたユーザＩＤを「受付ユーザＩＤ」というものとする。受付ユーザＩＤを受信した行き先管理サーバ１では、「登録状況情報」を作成し、会場端末装置５へ返送する。具体的には、イベント情報記憶エリア１９２の「イベントＩＤ」が実施イベントＩＤであるレコードの「定員内参加ＩＤ」及び「定員外参加ＩＤ」が参照される。受付ユーザＩＤがいずれかに記憶されていれば、「予約済みＩＤ」であることを示す情報が「登録状況情報」に記載される。さらに、「定員内参加ＩＤ」に記憶されていた場合には、「定員内参加者」であることを示す情報が「登録状況情報」に記載される。また、いずれにも記憶されていない場合には、「予約済みＩＤ」でないことを示す情報が「登録状況情報」に記載される。
【０１００】
そして、会場端末装置５では、行き先管理サーバ１から送信された「登録状況情報」が受信され、ＲＡＭ５２の所定の記憶エリアに記憶される（Ｓ７３）。そして、「登録状況情報」が、受付ユーザＩＤが「予約済みＩＤ」であることを示しているか否かの判断が行われる（Ｓ７４）。「予約済みＩＤ」でなければ（Ｓ７４：ＮＯ）、このユーザはイベントに参加することはできないので、Ｓ７８へ進む。
【０１０１】
また、「予約済みＩＤ」であれば（Ｓ７４：ＹＥＳ）、このユーザはイベントに参加することができる。そこで、施錠装置７に対して、開錠指示情報が出力される（Ｓ７５）。施錠装置７では、開錠指示情報を受信すると会場の入り口の鍵を開ける。これにより、ユーザはイベントの会場に入ることができる。次いで、「登録状況情報」が受付ユーザＩＤのユーザが「定員内参加者」であることを示しているか否かの判断が行われる（Ｓ７６）。「定員内参加者」であれば（Ｓ７６：ＹＥＳ）、ラベル印刷装置６２０で座席表を印刷するための印刷データが作成され、ラベル印刷装置６２０に出力される（Ｓ７７）。これにより、ラベル印刷装置６２０では、印刷データに基づいた印刷が行われ、座席表が印刷される。本実施の形態では、会場内の座席に座席番号が振られているものとする。そして、受付を行った定員内参加者に対して、順に座席番号が割り当てられる。ここでは、所定のルールに基づいて定員内参加者に対する座席番号が割り当てられ、割り当てられた座席番号を記した座席表の印刷データが作成される。よって、ユーザはこの座席表を受け取ることにより、座席表に印刷されている番号の座席が確保されることになる。なお、本実施の形態では、座席表を印刷したが、印刷する情報は座席表としたが、これに限らないことはいうまでもない。例えば、名札であってもよい。座席券の印刷指示がラベル印刷装置６２０に出力されたら（Ｓ７７）、Ｓ７８へ進む。一方、「定員内参加者」でなければ（Ｓ７６：ＮＯ）、定員外参加者であり、座席は確保されていないので、座席券の発行が行われることなく、Ｓ７８へ進む。
【０１０２】
Ｓ７８では、終了指示が受け付けられたか否かの判断が行われ（Ｓ７８）、終了指示が受け付けられていなければ（Ｓ７８：ＮＯ）、Ｓ７１へ戻り、再び、個人ＩＤカード８の検知処理が行われる（Ｓ７１）。そして、個人ＩＤカード８が検知されたら、Ｓ７２〜Ｓ７７の処理が行われる。そして、繰り返し、Ｓ７１〜Ｓ７７の処理が行われ、終了指示が受け付けられたら（Ｓ７８：ＹＥＳ）、本処理は終了する。
【０１０３】
以上のようにして、会場端末装置５では、個人ＩＤカード８のユーザＩＣタグ８８からユーザＩＤを読み取ることにより、ユーザを識別し、行き先管理サーバ１へ問合せを行い、予約済みのＩＤであれば、会場へ入れるように施錠装置７で入り口の鍵が開かれる。また、定員内参加者であれば、座席券が発行される。したがって、ユーザは、予約済みのイベントに参加する場合には、会場へ行き、個人ＩＤカード８をラベル印刷装置６２０にかざすだけで、ユーザの認証が行われ、イベントに参加することができる。また、イベントの開催者側の担当者も、参加者名簿との付け合わせをすることなく、来場したユーザが参加者であるか否かを知ることができ、受付事務がスムーズに執り行われる。さらに、座席券の発行も行われるので、よりスムーズに受付処理が進む。また、イベント会場の入り口の開錠も自動で行われるので、参加者でないユーザがイベント会場に入ってしまうことがない。さらには、受付に担当者がいなくとも、無人で参加者の受付を行うことができる。
【０１０４】
なお、上記実施の形態における予約用ユーザ端末装置３が「ユーザ端末装置」に該当する。個人ＩＤカード８が「ユーザ識別部材」に該当する。ラベル印刷装置６１０が「ユーザ用ＩＣタグ通信装置」に該当し、印字ヘッド６６１及び、印字ヘッド６６１を駆動する駆動回路６６が「印刷手段」に該当する。そして、ラベル印刷装置６２０が「会場用ＩＣタグ通信装置」に該当する。
【０１０５】
そして、図１５に示す行き先設定メイン処理のＳ１２において、予約用ユーザ端末装置３に接続したラベル印刷装置６１０がＩＣタグから取得した情報からユーザＩＤを取得する処理を行う予約用ユーザ端末装置３のＣＰＵ３１が「ユーザＩＤ取得手段」に相当する。そして、行き先登録画面１０１を表示させ、入力を受け付ける処理を行う予約用ユーザ端末装置３のＣＰＵ３１が「行き先情報入力受付手段」に相当する。そして、行き先管理サーバ１のハードディスク装置１９のイベント情報記憶エリア１９２が「イベント情報記憶手段」に該当する。
【０１０６】
そして、図１７に示す定員あり行き先設定処理のＳ３４において、抽出イベントが定員オーバーであるか否かの判断を行う予約用ユーザ端末装置３のＣＰＵ３４が「定員判断処理」に相当する。そして、Ｓ３４において定員オーバーであると判断された結果、予約用ユーザ端末装置３から行き先管理サーバ１へ送信される定員外の予約情報を受信して、予約情報に示されている情報に基づき、イベント情報記憶エリア１９２及び行き先情報記憶エリア１９３を更新する処理（図１９のサーバ行き先処理のＳ５７）を行う行き先管理サーバ１のＣＰＵ１１が「登録手段」に相当する。
【０１０７】
そして、図２１に示す入室時処理のＳ７４，Ｓ７６において、「登録状況情報」により「予約済みＩＤ」であるか、「定員内参加者」であるかを判断する処理を行う会場端末装置５のＣＰＵ５１が「参加判断手段」に相当する。そして、施錠装置７への開錠指示を出力する処理（Ｓ７５）、及び、ラベル印刷装置６２０へ座席券を印刷する指示を出力する処理（Ｓ７７）を行うＣＰＵ５１が「判断結果出力手段」に相当する。
【０１０８】
そして、図１８に示すキャンセル処理のＳ４１において送信された「キャンセル依頼」を受信する処理を行うＣＰＵ１１が「キャンセル受付手段」に相当する。そして、図２０に示すサーバキャンセル処理のＳ６１において、イベントへの参加をキャンセルする処理を行うＣＰＵ１１が「キャンセル処理」に相当する。そして、Ｓ６３で、定員外参加者を定員内参加者に繰り上げる処理を行うＣＰＵ１１が「繰り上げ手段」に相当する。そして、行き先登録プログラム及びキャンセルプログラムが「行き先管理プログラム」に該当し、入室時プログラムが「会場端末装置プログラム」に該当する。
【０１０９】
なお、本発明の行き先表示システム、行き先管理サーバ、行き先管理プログラム、会場端末装置及び会場端末装置プログラムは、上記した実施の形態に限定されるものではなく、本発明の要旨を逸脱しない範囲内において種々変更を加え得ることは勿論である。上記実施の形態では、行き先管理サーバ１のハードディスク装置１９に、会場情報，イベント情報，行き先情報，ユーザ情報を記憶しているが、これらの情報の記憶場所は、行き先管理サーバ１のハードディスク装置１９に限らない。行き先管理サーバ１が更新可能な記憶装置に記憶されていればよい。例えば、外付けの記憶装置、ネットワーク９を介して接続可能な他の装置の記憶装置であってもよい。
【０１１０】
また、上記実施の形態では、管理者用ユーザ端末装置２と予約用ユーザ端末装置３とを別の端末装置としたが、１つのユーザ端末装置で構成してもよい。例えば、メニュー画面（図１５、Ｓ１３）において、「イベント登録処理」のメニューも設け、「イベント登録処理」が選択された場合には、図１４に示したイベント登録処理を実行するように構成すればよい。また、行き先表示端末装置４も同じ端末装置で構成してもよい。
【０１１１】
また、上記実施の形態では、ユーザが行き先を登録する際に、行き先で行われているイベントが定員オーバーであるか否かの判断を予約用ユーザ端末装置３にて行っている。しかしながら、この判断を行き先管理サーバ１で行い、判断結果に基づいてイベント情報記憶エリア１９２及び行き先情報記憶エリア１９３を更新すればよい。そして、予約用ユーザ端末装置３では、判断結果を受信し、ディスプレイ３４８に表示する。
【０１１２】
また、上記実施の形態では、会場端末装置５において、行き先管理サーバ１から取得した「登録状況情報」に基づいて、イベント会場に来たユーザが予約済みの人物であるか、及び、定員内参加者か定員外参加者であるかを判断している。しかしながら、これらの判断は、会場端末装置５でなく、行き先管理サーバ１で行ってもよい。この場合、会場端末装置５では、上記実施の形態と同様に、個人ＩＤカードの検知処理が行われると（Ｓ７１）、個人ＩＤ情報を行き先管理サーバ１へ送信する（Ｓ７２）。そして、行き先管理サーバ１では、イベント情報記憶エリア１９２の「イベントＩＤ」が実施イベントＩＤであるレコードの「定員内参加ＩＤ」及び「定員外参加ＩＤ」が参照される。受付ユーザＩＤがいずれかに記憶されていなければ、「参加者でない」という判断結果が会場端末装置５に送信される。そして、受付ユーザＩＤがいずれかに記憶されている場合に、「定員内参加ＩＤ」に記憶されていれば「定員内参加者」であるという判断結果が会場端末装置５に送信され、「定員外参加ＩＤ」に記憶されていれば、「定員外参加者」であるという判断結果が会場端末装置５に送信される。そして、会場端末装置では、「参加者でない」というの判断結果を受信したら、施錠装置７の開錠も、座席券の印刷も行わない。また、「定員外参加者」というの判断結果を受信したら、施錠装置７の開錠は行うが、座席券の印刷は行わない。そして、「定員内参加者」というの判断結果を受信したら、施錠装置７の開錠も座席券の印刷も行う。
【０１１３】
なお、このような場合に、行き先管理サーバ１から判断結果を会場端末装置５へ送信するのではなく、施錠装置７の開錠を指示する情報、座席券の印刷を指示する情報を送信するようにしてもよい。
【０１１４】
また、上記実施の形態では、判断結果の出力として、施錠装置７に対する開錠指示情報の出力、ラベル印刷装置６２０に対する印刷データの出力が行われている。しかしながら、判断結果の出力としてはこれに限らない。例えば、会場端末装置５のディスプレイ５４８に判断結果を示すメッセージを表示させてもよい。例えば、「このイベントへの参加者として予約されていません。申し訳ございませんが、入場することはできません。」、「このイベントの定員外参加者として予約されています。会場内へお進み下さい。ただし、座席はございませんのでご了承下さい。」、「このイベントの定員内参加者として予約されています。会場内へお進み下さい。座先も準備されていますので、お好きな席にお掛け下さい。」、「このイベントの定員内参加者として予約されています。会場内へお進み下さい。座席券が発行されますので、記載の座席にお座りください。」というメッセージである。
【０１１５】
また、上記実施の形態では、会場端末装置５はネットワーク９に接続している。しかしながら、会場端末装置５をネットワークに接続しない構成としてもよい。この場合には、イベント会場に来たユーザの認証を行う際に、行き先管理サーバ１のハードディスク装置１９に記憶されている情報を使用することはできない。そこで、行き先を登録した際に、個人ＩＤカード８のユーザＩＣタグ８８に、登録した結果を書き込んでおく。これにより、イベント会場では、会場端末装置５が個人ＩＤカード８からユーザＩＤだけでなく、イベントへの登録状況を示す情報を取得する。そして、取得された情報に基づいて、ユーザの認証を行えばよい。
【０１１６】
具体的には、図１６に示す行き先登録処理のＳ２７で予約情報を送信した後に、ラベル印刷装置６１０を用いて、個人ＩＤカード８のユーザＩＣタグ８８に「予約情報」を書き込めばよい。この「予約情報」には、イベントを特定するイベントＩＤ、又は、会場ＩＤ並びに時間帯を示す情報のいずれかが記載されている。さらに、図１７に示す定員あり行き先設定処理のＳ３５で予約情報を送信した後、個人ＩＤカード８のユーザＩＣタグ８８に「予約情報」を書き込めばよい。この「予約情報」には、イベントを特定するイベントＩＤ、又は、会場ＩＤ並びに時間帯を示す情報のいずれか、及び、定員内参加者であることを示す情報が記載されていればよい。また、定員あり行き先設定処理のＳ３８で予約情報を送信した後、個人ＩＤカード８のユーザＩＣタグ８８に「予約情報」を書き込めばよい。この「予約情報」には、イベントを特定するイベントＩＤ、又は、会場ＩＤ並びに時間帯を示す情報のいずれか、及び、定員外参加者であることを示す情報が記載されていればよい。そして、会場端末装置は、「予約情報」に従いユーザの認証を行う。さらに、
図１８に示すキャンセル処理のＳ４４の後、ラベル印刷装置６１０を用いて、キャンセル画面で入力された予約の情報がキャンセルされたことを示す情報を個人ＩＤカード８のユーザＩＣタグ８８に書き込めばよい。
【０１１７】
また、上記実施の形態では、全てのイベントにおいて定員外参加者を受け付けているが、全てのイベントで定員外参加者を受け付けるのではなく、定員内の人数しか予約を受け付けないイベントを設けてもよい。
【図面の簡単な説明】
【０１１８】
【図１】行き先表示システムのシステム構成図である。
【図２】行き先管理サーバ１の電気的構成を示す模式図である。
【図３】予約用ユーザ端末装置３の電気的構成を示すブロック図である。
【図４】行き先表示端末装置４の電気的構成を示すブロック図である。
【図５】会場端末装置５の電気的構成を示すブロック図である。
【図６】ラベル印刷装置６の全体構造を表す斜視図である。
【図７】ラベル印刷装置６の電気的構成を示す模式図である。
【図８】会場情報記憶エリア１９１の構成を示す模式図である。
【図９】イベント情報記憶エリア１９２の構成を示す模式図である。
【図１０】行き先情報記憶エリア１９３の構成を示す模式図である。
【図１１】イベント登録画面１００の模式図である。
【図１２】行き先登録画面１０１の模式図である。
【図１３】行き先表示画面１０２の模式図である。
【図１４】イベント登録処理のフローチャートである。
【図１５】行き先設定メイン処理のフローチャートである。
【図１６】行き先設定メイン処理の中で実施される行き先登録処理のフローチャートである。
【図１７】行き先登録処理の中で実施される定員あり行き先設定処理のフローチャートである。
【図１８】行き先設定メイン処理の中で実施されるキャンセル処理のフローチャートである。
【図１９】サーバ行き先登録処理のフローチャートである。
【図２０】サーバキャンセル処理のフローチャートである。
【図２１】入室時処理のフローチャートである。
【符号の説明】
【０１１９】
１  行き先管理サーバ
２  管理者用ユーザ端末装置
３  予約用ユーザ端末装置
４  行き先表示端末装置
５  会場端末装置
６  ラベル印刷装置
７  施錠装置
８  個人ＩＤカード
９  ネットワーク
１１  ＣＰＵ
１９  ハードディスク装置
２１  ＣＰＵ
４１  ＣＰＵ
５１  ＣＰＵ
６１  ＣＰＵ
６６  駆動回路
８１  送信回路
８２  受信回路
８８  ユーザＩＣタグ
１００  イベント登録画面
１０１  行き先登録画面
１０２  行き先表示画面
１９１  会場情報記憶エリア
１９２  イベント情報記憶エリア
１９３  行き先情報記憶エリア
１９４  ユーザ情報記憶エリア
１９５  プログラム記憶エリア
６１０  ラベル印刷装置
６２０  ラベル印刷装置
６６１  印字ヘッド
【図１】
2010009310.tif 000003
【図２】
2010009310.tif 000004
【図３】
2010009310.tif 000005
【図４】
2010009310.tif 000006
【図５】
2010009310.tif 000007
【図６】
2010009310.tif 000008
【図７】
2010009310.tif 000009
【図８】
2010009310.tif 000010
【図９】
2010009310.tif 000011
【図１０】
2010009310.tif 000012
【図１１】
2010009310.tif 000013
【図１２】
2010009310.tif 000014
【図１３】
2010009310.tif 000015
【図１４】
2010009310.tif 000016
【図１５】
2010009310.tif 000017
【図１６】
2010009310.tif 000018
【図１７】
2010009310.tif 000019
【図１８】
2010009310.tif 000020
【図１９】
2010009310.tif 000021
【図２０】
2010009310.tif 000022
【図２１】
2010009310.tif 000023